(57)【要約】本明細書にはプローブシステム及びその利用方法を開示する。この方法は、第１の操作されるアセンブリと第２の操作されるアセンブリとの間の距離を直接測定するステップと、第１及び第２プローブを第１及び第２接触位置に接触させるステップと、試験信号を電気的構造に供給するステップと、結果的に生じる信号を電気的構造から受信するステップとを含む。この方法は、プローブシステム及び電気的構造の少なくとも一方を上記距離に基づいて特性化するステップをさらに含む。１つの好適例では、上記プローブシステムが測定装置を含み、この測定装置は、第１の操作されるアセンブリと第２の操作されるアセンブリとの間の距離を直接測定するように構成されている。他の好適例では、上記プローブシステムがプローブヘッド・アセンブリを含み、このプローブヘッド・アセンブリは、プラテンと、動作可能なようにこのプラテンに取り付けられたマニピュレータと、動作可能なようにこのマニピュレータに取り付けられたベクトル・ネットワークアナライザ（ＶＮＡ）エクステンダと、動作可能なようにこのＶＮＡエクステンダに取り付けられたプローブとを含む。
2019530869.tif 000002
【特許請求の範囲】
【請求項１】
チャックと、
プローブヘッド・アセンブリと、
測定装置とを具えたプローブシステムであって、
前記チャックは、被試験デバイス（ＤＵＴ）を含む基板を支持するように構成された支持面を含み、
前記プローブヘッド・アセンブリは、
(i) プラテンと、
(ii) 動作可能なようにプラテンに取り付けられた第１マニピュレータと、
(iii) 動作可能なように前記第１マニピュレータに取り付けられ、前記ＤＵＴに接触するように構成された第１プローブを含む第１の操作されるアセンブリと、
(iv) 動作可能なように前記プラテンに取り付けられた第２マニピュレータと、
(v) 動作可能なように前記第２マニピュレータに取り付けられ、前記ＤＵＴに接触するように構成された第２の操作されるアセンブリとを含み、
前記測定装置は、前記第１の操作されるアセンブリと前記第２の操作されるアセンブリとの間の距離を直接測定するように構成されているプローブシステム。
【請求項２】
前記第１の操作されるアセンブリは、前記第１マニピュレータの作動により、動作可能なように前記プラテンに対して平行移動するように構成され、前記第２の操作されるアセンブリは、前記第２マニピュレータの作動により、動作可能なように前記プラテンに対して平行移動するように構成され、さらに、前記第１マニピュレータ及び前記第２マニピュレータは、独立して作動して、前記第１の操作されるアセンブリと前記第２の操作されるアセンブリとを動作可能なように互いに対して平行移動させるように構成されている、請求項１に記載のプローブシステム。
【請求項３】
前記測定装置が、
(i) マイクロメーター、
(ii) 容量性プローブ、
(iii) 干渉計
のうちの少なくとも１つを含む、請求項１に記載のプローブシステム。
【請求項４】
前記測定装置が電子測定装置である、請求項１に記載のプローブシステム。
【請求項５】
前記測定装置が、前記第１の操作されるアセンブリと前記第２の操作されるアセンブリとの間の距離を示すように構成されたディスプレイを含む、請求項１に記載のプローブシステム。
【請求項６】
前記第１の操作されるアセンブリが測定装置マウントを含み、前記測定装置が動作可能なように該測定装置マウントに取り付けられ、前記第２の操作されるアセンブリが当接面を含み、さらに、前記測定装置が、動作可能なように該当接面に接触して、前記第１の操作されるアセンブリと前記第２の操作されるアセンブリとの間の距離を測定するように構成されている、請求項１に記載のプローブシステム。
【請求項７】
前記測定装置が、前記第１の操作されるアセンブリと前記第２の操作されるアセンブリとの間に延びて、動作可能なように前記第１の操作されるアセンブリ及び前記第２の操作されるアセンブリに共に接触する、請求項１に記載のプローブシステム。
【請求項８】
前記プローブシステムが、当該プローブシステムの少なくとも一部分の動作を制御するようにプログラムされたコントローラをさらに含み、前記測定装置は、前記第１の操作されるアセンブリと前記第２の操作されるアセンブリとの間の距離を示す距離信号を発生して、該距離信号を前記コントローラに供給するようにさらに構成されている、請求項１に記載のプローブシステム。
【請求項９】
プローブシステムを利用する方法であって、
第１の操作されるアセンブリの第１プローブを動作可能なように電気的構造の第１接触位置に位置合わせするステップと、
第２の操作されるアセンブリの第２プローブを動作可能なように電気的構造の第２接触位置に位置合わせするステップと、
測定装置により、前記第１の操作されるアセンブリと前記第２の操作されるアセンブリとの間の距離を直接測定するステップと、
前記第１プローブを前記第１接触位置に接触させるステップと、
前記第２プローブを前記第２接触位置に接触させるステップと、
試験信号を前記電気的構造に供給するステップと、
結果的に生じる信号を前記電気的構造から受信するステップと、
前記プローブシステム及び前記電気的構造の少なくとも一方を、前記第１の操作されるアセンブリと前記第２の操作されるアセンブリとの間の距離に少なくとも部分的に基づいて特性化するステップと
を含む方法。
【請求項１０】
前記直接測定するステップが、前記第１の操作されるアセンブリの第１所定部分と、前記第２の操作されるアセンブリの第２所定部分との間の距離を測定することを含む、請求項９に記載の方法。
【請求項１１】
前記直接測定するステップが、前記第１接触位置及び前記第２接触位置を含む前記電気的構造の表面に少なくとも実質的に平行な測定面内で直接測定することを含む、請求項９に記載の方法。
【請求項１２】
前記特性化するステップが、前記プローブシステムを較正することを含み、該較正することが、前記第１の操作されるアセンブリと前記第２の操作されるアセンブリとの間の距離を、前記プローブシステムを較正するために利用する数学的アルゴリズムへの入力として利用することを含む、請求項９に記載の方法。
【請求項１３】
前記較正することが、前記第１プローブを前記第１接触位置に接触させる前に、かつ前記第２プローブを前記第２接触位置に接触させる前に、前記第１の操作されるアセンブリと前記第２の操作されるアセンブリとの間の距離を調整して、前記第１プローブを前記第１接触位置に接触させた後に、かつ前記第２プローブを前記第２接触位置に接触させた後に、前記第１の操作されるアセンブリと前記第２の操作されるアセンブリとの間の距離を所定の閾値距離範囲内に維持することを含む、請求項１２に記載の方法。
【請求項１４】
前記調整することが手動で調整することを含み、前記方法が距離オフセットを表示するステップをさらに含み、手動で調整することが、前記距離オフセットに少なくとも部分的に基づいて手動で調整することを含む、請求項１３に記載の方法。
【請求項１５】
プローブヘッド・アセンブリと、
チャックと、
ベクトル・ネットワークアナライザとを具えたプローブシステムであって、
前記プローブヘッド・アセンブリは、
(i) プラテンと、
(ii) マニピュレータと、
(iii) ベクトル・ネットワークアナライザ（ＶＮＡ）エクステンダと、
(iv) プローブとを含み、
前記マニピュレータは、動作可能なように前記プラテンに取り付けられたマニピュレータ・マウント、及びプローブ・マウントを含み、前記マニピュレータは、前記プローブ・マウントを選択的に、かつ動作可能なように前記マニピュレータ・マウントに対して平行移動させるように構成され、
前記ＶＮＡエクステンダは動作可能なように前記プローブ・マウントに取り付けられ、
前記プローブは、動作可能なように前記ＶＮＡエクステンダを介して前記プローブ・マウントに取り付けられ、前記マニピュレータは、前記ＶＮＡエクステンダ及び前記プローブを共に、前記プローブマウントの動きにより、選択的に、かつ動作可能なように前記マニピュレータ・マウントに対して平行移動させるように構成され、
前記チャックは、被試験デバイス（ＤＵＴ）を含む基板を支持するように構成された支持面を含み、前記プローブは、前記支持面に対面して、当該プローブと前記ＤＵＴとの選択的な電気接触を可能にし、
前記ベクトル・ネットワークアナライザは、
(i) 試験信号を、前記ＶＮＡエクステンダを通して前記プローブに供給すること、
(ii) 結果的に生じる信号を、前記ＶＮＡエクステンダを通して前記プローブから受信すること
のうちの少なくとも一方を行うように構成されている、プローブシステム。
【請求項１６】
前記プローブヘッド・アセンブリは、前記プローブ・マウントに取り付けられたＶＮＡエクステンダ装着プレートをさらに含み、さらに、前記ＶＮＡエクステンダは、動作可能なように前記ＶＮＡエクステンダ装着プレートを介して前記プローブ・マウントに取り付けられている、請求項１５に記載のプローブシステム。
【請求項１７】
前記ＶＮＡエクステンダが、動作可能なように、前記ＶＮＡエクステンダ装着プレートにおける前記支持面に対面する側の表面に取り付けられている、請求項１６に記載のプローブシステム。
【請求項１８】
(i) 前記ＶＮＡエクステンダ装着プレートが前記プローブ・マウントに直接取り付けられ、
(ii) 前記ＶＮＡエクステンダが、前記ＶＮＡエクステンダ装着プレートに直接取り付けられ、
(iii) 前記プローブが、前記ＶＮＡエクステンダに直接取り付けられている、
請求項１５に記載のプローブシステム。
【請求項１９】
前記プローブシステムが導波路をさらに含み、該導波路は、前記ＶＮＡエクステンダと前記プローブとの間に延びて、前記ＶＮＡエクステンダと前記プローブとを電気的かつ機械的に相互接続する、請求項１５に記載のプローブシステム。
【請求項２０】
前記プローブシステムがデータケーブルをさらに含み、該データケーブルは、前記ベクトル・ネットワークアナライザと前記ＶＮＡエクステンダとを電気的に相互接続し、前記データケーブルは、前記ベクトル・ネットワークアナライザと前記ＶＮＡエクステンダとの間に第１の信号伝送長を規定し、前記プローブシステムは、前記ＶＮＡエクステンダと前記プローブのプローブ先端との間に第２の信号伝送長を規定し、さらに、前記第２の信号伝送長は前記第１の信号伝送長の１０％未満である、請求項１５に記載のプローブシステム。
【発明の詳細な説明】
【技術分野】
【０００１】
関連出願.
本願は、米国特許出願第１５／７０８６８１号、２０１７年９月１９日出願、及び米国特許仮出願第６２／４００９７８号、発明の名称”PROBE SYSTEMS AND METHODS”、２０１６年９月２８日出願により優先権を主張し、これらの特許出願の全開示を参照することによって本明細書に含める。
【０００２】
発明の分野
本発明は一般にプローブシステム及びその利用方法に指向したものであり、より具体的には、マニピュレータに実装した電子構成部品を含むプローブシステム、操作される２つのアセンブリ間の直接的な距離測定を含むプローブシステム、及び／または操作される２つのアセンブリ間の直接的な距離測定を含む、プローブシステムを動作させる方法に関するものである。
【背景技術】
【０００３】
発明の背景
プローブシステムを利用して、半導体デバイス及び／または集積回路デバイスのような被試験デバイス（ＤＵＴ：device under test）の動作を試験することができる。これらのデバイスが小型になるに連れて、そしてその動作周波数が増加するに連れて、試験信号が進まなければならない物理的距離がますます重要になり、及び／または試験結果にますます重大な影響を与える。一般に３０ギガヘルツ（GHz）〜３００GHzの周波数で実行されるミリメートル波（ｍｍＷ：millimeter wave）試験については、一般に信号経路の距離を明確にしなければならず、一般により短い信号経路ほどより正確な試験結果を生み出す。
【０００４】
試験結果の正確度を確認し、あるいは向上させるために、プローブシステムを較正することが知られている。ｍｍＷ試験のような特定の試験シナリオでは、較正及び／または試験を実行するために利用するプローブ間の距離または想定距離は、較正結果及び／または試験結果に重大な影響を与え得る。それに加えて、較正中のプローブ間の距離の変動は、試験中に比べて、構成の正確度に重大な影響を与え得るし、この影響は試験結果に付け加わる。それに加えて、あるいはその代わりに、ＤＵＴとプローブシステムの１つ以上の電子構成部品との間の距離はプローブシステムの有効性を制限し得る。従って、プローブシステム及びその利用方法を改善する必要性が存在する。
【発明の概要】
【課題を解決するための手段】
【０００５】
プローブシステム及びその利用方法を本明細書中に開示する。これらの方法は、第１の操作されるアセンブリの第１プローブを動作可能なように電気的構造の第１接触位置に位置合わせするステップと、第２の操作されるアセンブリの第２プローブを動作可能なようにこの電気的構造の第２接触位置に位置合わせするステップとを含む。この方法は、第１の操作されるアセンブリと第２の操作されるアセンブリとの間の距離を直接測定するステップと、第１プローブを第１接触位置に接触させ、第２プローブを第２接触位置に接触させるステップと、試験信号を上記電気的構造に供給するステップと、結果的に生じる信号を上記電気的構造から受信するステップも含む。この方法は、第１の操作されるアセンブリと第２の操作されるアセンブリとの間の距離に基づいて、プローブシステム及び上記電気的構造の少なくとも一方を特性化するステップをさらに含む。
【０００６】
１つの好適例では、上記プローブシステムがチャックを含み、このチャックは、被試験デバイス（ＤＵＴ）を含む基板を支持するように構成された支持面を有する。これらの好適例では、プローブシステムがプローブヘッド・アセンブリも含む。このプローブヘッド・アセンブリは、プラテンと、動作可能なようにこのプラテンに取り付けられた第１マニピュレータと、動作可能なように第１マニピュレータに取り付けられ、ＤＵＴに接触するように構成された第１プローブを含む第１の操作されるアセンブリとを含む。このプローブヘッド・アセンブリは、動作可能なように上記プラテンに取り付けられた第２マニピュレータ、及び動作可能なように第２マニピュレータに取り付けられ、ＤＵＴに接触するように構成された第２プローブを含む第２の操作されるアセンブリも含む。これらの好適例では、上記プローブシステムが測定装置も含み、この測定装置は、第１の操作されるアセンブリと第２の操作されるアセンブリとの間の距離を直接測定するように構成されている。
【０００７】
他の好適例では、上記プローブシステムがプローブヘッド・アセンブリを含み、このプローブヘッド・アセンブリはプラテン及びマニピュレータを含み、このマニピュレータは、マニピュレータ・マウント（取付具）及びプローブ・マウントを含み、マニピュレータ・マウントは動作可能なようにプラテンに取り付けられている。このマニピュレータは、プローブ・マウントを選択的に、かつ動作可能なようにマニピュレータ・マウントに対して平行移動させるように構成されている。上記プローブヘッド・アセンブリは、ベクトル・ネットワークアナライザ（ＶＮＡ：vector network analyzer）エクステンダ（拡張器）及びプローブも含み、ＶＮＡエクステンダは動作可能なようにマニピュレータのプローブ・マウントに取り付けられ、プローブは動作可能なようにＶＮＡエクステンダを介してプローブ・マウントに取り付けられ、これによりマニピュレータは、ＶＮＡエクステンダ及びプローブを共に、プローブ・マウントの動きにより、動作可能なようにマニピュレータ・マウントに対して平行移動させるように構成される。これらの好適例では、プローブシステムがチャックも含み、このチャックは、ＤＵＴを含む基板を支持するように構成された支持面を有し、プローブは支持面と対面して、プローブとＤＵＴとの選択的な電気接触を可能にする。これらの好適例では、プローブシステムがベクトル・ネットワークアナライザ（ＶＮＡ）をさらに含み、このＶＮＡは、試験信号を上記ＶＮＡエクステンダに供給すること、及び結果的に生じる信号をＶＮＡエクステンダから受信すること、のうちの少なくとも一方を行うように構成されている。
【図面の簡単な説明】
【０００８】
【図１】本発明によるプローブシステムの例の概略図である。
【図２】本発明によるプローブシステムの例を示すより詳細な前面図である。
【図３】図２のプローブシステムの上面図である。
【図４】図２のプローブシステムの一部分を示す図である。
【図５】図２のプローブシステムの一部分を示す図である。
【図６】本発明によるプローブシステムを利用する方法を示すフローチャートである。
【発明を実施するための形態】
【０００９】
発明の詳細な説明及び最良の形態
図１〜６は、本発明によるプローブシステム２０の例、プローブシステム２０の構成要素の例、及び／または、本発明による、プローブシステム２０のようなプローブシステムを利用する方法３００の例を提供する。図１〜６の各々では、同様の、あるいは少なくとも実質的に同様の目的を果たす要素には同様の番号でラベル付けし、本明細書中では、これらの要素は図１〜６の各々を参照して詳細に説明しないことがある。同様に、図１〜６の各々では、必ずしもすべての要素にラベル付けしないことがあるが、本明細書中では、これらの要素に関連する参照番号を一貫性のために利用することがある。図１〜６のうちの１つ以上を参照して本明細書中に説明する要素、構成要素、及び／または特徴は、本発明の範囲から逸脱することなしに、図１〜６のいずれかに含めること、及び／または図１〜６のいずれかで利用することがある。一般に、特定の実施形態に含まれることの多い要素は実線で図示するのに対し、任意である要素は破線で図示する。しかし、実線で示す要素は不可欠ではないことがあり、一部の実施形態では、本発明の範囲から逸脱することなしに省略することがある。
【００１０】
図１は、本発明によるプローブシステム２０の例の概略図であるのに対し、図２〜５は、プローブシステム２０及び／またはその構成要素のより詳細な例を提供する。図１に概略的に示し、図２〜５によってより詳細に示すように、プローブシステム２０はプローブヘッド・アセンブリ１００を含み、プローブヘッド・アセンブリ１００はプラテン１１０を含む。プローブヘッド・アセンブリ１００はマニピュレータ１２０を含み、そして図１〜３に示すように、少なくとも第１マニピュレータ１２１及び第２マニピュレータ１２２のような複数のマニピュレータ１２０を含むことができる。図１に示すように、各マニピュレータ１２０は、マニピュレータ・マウント１２４及びプローブ・マウント１２６を含むことができる。マニピュレータ・マウント１２４は、動作可能なようにプラテン１１０に取り付けることができ、あるいは、対応するマニピュレータ１２０を動作可能なようにプラテン１１０に取り付けることができる。図１〜３では１つまたは２つのマニピュレータ１２０を図示しているが；プローブシステム２０が３つ以上のマニピュレータ１２０を含むことができることは本発明の範囲内である。例として、プローブシステム２０は、３つ、４つ、５つ、６つ、あるいは７つ以上のマニピュレータ１２０を含むことができる。
【００１１】
図１〜５によって集合的に示すように、プローブ・システム２０は操作されるアセンブリ１４０も含み、対応する操作されるアセンブリ１４０は、各マニピュレータ１２０に関連付けること、動作可能なように取り付けること、及び／または各マニピュレータ１２０によって操作することができる。一例として、操作されるアセンブリ１４０の各々は、対応するマニピュレータ１２０の対応するプローブ・マウント１２６に取り付けることができ、そして対応するマニピュレータは、このプローブマウントを選択的に、かつ動作可能なようにマニピュレータ・マウントに対して平行移動させるように構成することができる。他の例として、第１の操作されるアセンブリ１４１は、第１マニピュレータ１２１に関連付けること、動作可能なように第１マニピュレータ１２１に取り付けること、及び／または第１マニピュレータ１２１によって操作することができる。同様に、第２の操作されるアセンブリ１４２は、第２マニピュレータ１２２に関連付けること、動作可能なように第２マニピュレータ１２２に取り付けること、及び／または第２マニピュレータ１２２によって操作することができる。第１マニピュレータ１２１及び第２マニピュレータ１２２は、独立して作動させるように構成することができ、及び／または、第１の操作されるアセンブリ１４１と第２の操作されるアセンブリ１４２とを選択的に、かつ動作可能なように互いに対して平行移動させるように構成することができる。
【００１２】
操作されるアセンブリ１４０の各々は、対応するプローブ１７０を含むことができ、あるいは対応するプローブ１７０とすることができる。一例として、第１プローブ１７１は、第１マニピュレータ１２１に関連付けること、動作可能なように第１マニピュレータ１２１に取り付けること、及び／または第１マニピュレータ１２１によって操作することができる。同様に、第２プローブ１７２は、第２マニピュレータ１２２に関連付けること、動作可能なように第２マニピュレータ１２２に取り付けること、及び／または第２マニピュレータ１２２によって操作することができる。
【００１３】
操作されるアセンブリ１４０は電子構成部品１６０を含むこともできる。本明細書中では、電子構成部品１６０は、ベクトル・ネットワークアナライザ（ＶＮＡ）エクステンダ１６０、スペクトルアナライザ・エクステンダ１６０、及び／またはシグナルアナライザ（信号解析器）エクステンダと称することがあり、あるいはこれらのエクステンダとすることがある。以下の説明は全般的にＶＮＡエクステンダ１６０を参照するが、ＶＮＡエクステンダは、上記電子構成部品、スペクトルアナライザ・エクステンダ、及び／またはシグナルアナライザ・エクステンダを含むことができ、及び／またはその代わりに、上記電子構成部品、スペクトルアナライザ・エクステンダ、及び／またはシグナルアナライザ・エクステンダとすることができる。ＶＮＡエクステンダ１６０は、存在すれば、動作可能なように、対応するマニピュレータ１２０の対応するプローブ・マウント１２６に取り付けることができ、対応するプローブ１７０は、動作可能なように、ＶＮＡエクステンダを介して対応するマニピュレータに取り付けることができる。このため、ＶＮＡエクステンダ１６０及び対応するプローブ１７０は共に、対応するマニピュレータ１２０の操作により、及び／または対応するプローブ・マウントの動きにより、選択的に、かつ動作可能なように、マニピュレータ・マウント１２４に対して、あるいはプラテン１１０に対して平行移動するように構成することができる。
【００１４】
図１中に破線で示すように、プローブシステム２０はチャック３０を含むこともでき、チャック３０は支持面３２を含む。支持面３２は基板４０を支持するように構成することができ、基板４０は、１つ以上の被試験デバイス（ＤＵＴ）４２及び／または１つ以上の試験構造４４を含むことができる。プローブシステム２０は平行移動ステージ３４をさらに含むことができ、平行移動ステージ３４は、チャック３０を動作可能なようにＸ軸、Ｙ軸、及び／またはＺ軸に沿って平行移動させるように構成することができる。それに加えて、あるいはその代わりに、平行移動ステージ３４は、チャック３０をＸ軸、Ｙ軸、及び／またはＺ軸の周りに回転させるように構成することもできる。
【００１５】
また図１中に破線で示すように、プローブシステム２０はコントローラ９０を含むことができる。本明細書中では、コントローラ９０は、制御システム９０及び／または信号発生兼解析アセンブリ９０と称することがあり、制御システム９０及び／または信号発生兼解析アセンブリ９０を含むことができ、及び／または制御システム９０及び／または信号発生兼解析アセンブリ９０とすることができ、そしてＤＵＴ４２の動作を試験及び／または定量化するように構成することができる。一例として、上記コントローラは、試験信号８２をＤＵＴに供給するように、及び／または結果的に生じる信号８４をＤＵＴから受信するように構成することができる。これらの試験信号及び／または結果的に生じる信号は、プローブヘッド・アセンブリ１００を通して、チャック３０を通して、及び／または制御システム９０とＤＵＴ４２との間に延びるデータケーブル８０を通して、制御システム９０とＤＵＴ４２との間で伝達することができる。
【００１６】
図１に示すように、プローブ１７０はチャック３０の支持面３２に対面することができ、これによりプローブはＤＵＴ４２に接触または電気接触することができる。一例として、第１プローブ１７１はＤＵＴ４２上の第１接触位置４６に接触することができる。他の例として、第２プローブ１７２はＤＵＴ４２上の第２接触位置４８に接触することができる。この接触は、チャック３０の動きにより、例えば平行移動ステージ３４の動きにより、及び／またはプローブ１７０の動き、例えばマニピュレータ１２０の動きにより、選択的に確立及び／または中断することができる。
【００１７】
ＶＮＡエクステンダ１６０は、存在すれば、試験信号８２をコントローラ９０から第１周波数で受信し、この試験信号を第１周波数よりも大きい第２周波数でプローブ１７０に供給するように構成することができる。このため、ＶＮＡエクステンダ１６０はコントローラ９０の動作周波数範囲を拡張することができる。第１周波数の例は、最大１０ギガヘルツ（GHz）、最大２０GHz、最大３０GHz、最大４０GHz、最大５０GHz、最大６０GHz、最大７０GHz、及び／または最大８０GHzの周波数を含む。第２周波数の例は、少なくとも５０GHz、少なくとも６０GHz、少なくとも７０GHz、少なくとも８０GHz、少なくとも９０GHz、少なくとも１００GHz、少なくとも２００GHz、少なくとも３００GHz、最大１，０００GHz、最大８００GHz、最大６００GHz、最大５００GHz、最大４００GHz、最大３００GHz、及び／または最大２００GHzを含む。
【００１８】
ＶＮＡエクステンダ１６０のＤＵＴ４２への近接は、コントローラ９０のＤＵＴ４２への近接に比べると、試験信号の周波数の増加を可能にすること及び／または促進することができる。このため、ＶＮＡエクステンダ１６０はできる限りＤＵＴ４２の近くに配置することが望ましいことがあり、プローブシステム２０は、こうしたＶＮＡエクステンダとプローブとの近接を促進するように構成することができる。一例として、データケーブル８０は、コントローラ９０とＶＮＡエクステンダ１６０との間の第１信号伝送長を規定することができ、システム２０もＶＮＡエクステンダ１６０とプローブ１７０のプローブチップ（プローブ先端）１７４との間の第２信号伝送長を規定することができる。これらの条件下で、プローブシステム２０は、第２信号伝送長が第１信号伝送長の閾値割合未満であるように構成することができる。この閾値割合の例は、第１信号伝送長の１０％未満、５％未満、１％未満、０．５％未満、０．１％未満、０．０５％未満、０．０１％未満を含む。
【００１９】
プローブヘッド・アセンブリ１００が追加的構造をさらに含むことができ、こうした追加的構造を利用して、ＶＮＡエクステンダ１６０をＤＵＴ４２のより近くに移動させて、ＶＮＡエクステンダとＤＵＴとの間の距離を減少させること、及び／または第２信号伝送長を減少させることができることは、本発明の範囲内である。一例として、そして図１中に破線で示し、図２〜５中に実線で示すように、プローブヘッド・アセンブリ１００はＶＮＡエクステンダ装着プレート１５０を含むことができる。ＶＮＡエクステンダ装着プレート１５０は、動作可能なようにプローブ・マウント１２６に取り付けることができ、さらには直接取り付けることができ、ＶＮＡエクステンダ１６０は、動作可能なように、ＶＮＡエクステンダ装着プレートを介してプローブマウントに取り付けることができ、さらには直接取り付けることができる。それに加えて、あるいはその代わりに、ＶＮＡエクステンダ１６０は、動作可能なように、チャック３０の支持面３２及び／またはＶＮＡエクステンダ装着プレート１５０におけるＤＵＴ４２に対面する側の表面に取り付けることができる。別の言い方をすれば、ＶＮＡエクステンダ１６０は、少なくとも部分的に、ＶＮＡエクステンダ装着プレート１５０と支持面３２及び／またはＤＵＴ４２との間に延びることができる。
【００２０】
こうした構成では、図示するように、ＶＮＡエクステンダ１６０は、プラテン１１０に近接して配置することができ、及び／またはプラテン１１０内の開口１１２に近接して、さらには開口１１２上に配置することができる。このことは、図１〜５に示すように構成されていないプローブシステムに比べると、ＶＮＡエクステンダとＤＵＴとの間の距離を減少させること、及び／またはＶＮＡエクステンダとＤＵＴとを電気的に相互接続するために必要な第２信号伝送長の長さを減少させることができる。
【００２１】
図示するように、ＶＮＡエクステンダ装着プレート１５０は、直接及び／または動作可能なようにプローブ・マウント１２６に取り付けることができる。同様に、ＶＮＡエクステンダ１６０は、直接及び／または動作可能なようにＶＮＡエクステンダ装着プレート１５０に取り付けることができる。それに加えて、プローブ１７０は、直接及び／または動作可能なようにＶＮＡエクステンダ１６０に取り付けることができる。
【００２２】
図１中に破線で示し、図２〜５中に実線で示すように、プローブ１７０は導波路１８０を含むことができる。導波路１８０は、存在すれば、エクステンダ１６０と、プローブ１７０及び／またはプローブ１７０のプローブチップ１７４との間に延びることができ、エクステンダ１６０と、プローブ１７０及び／またはプローブ１７０のプローブチップ１７４とを電気的に相互接続することができ、及び／または、エクステンダ１６０と、プローブ１７０及び／またはプローブ１７０のプローブチップ１７４とを機械的に相互接続することができる。導波路１８０は、プローブチップ１７４とＶＮＡエクステンダ１６０との間で固定の、あるいは少なくとも実質的に固定の相対配向を維持する剛体の、あるいは少なくとも実質的に剛体の導波路１８０とすることができる。
【００２３】
図１中に破線で概略的に示し、図２〜３中に実線でより詳細に示すように、プローブシステム２０は測定装置１９０を含むことができる。測定装置１９０は、存在すれば、第１の操作されるアセンブリ１４１と第２の操作されるアセンブリ１４２との間の距離を検出し、測定し、直接検出し、及び／または直接測定するように、適合させること、構成すること、設計すること、サイズを定めること、及び／または組み立てることができる。一般に、第１の操作されるアセンブリと第２の操作されるアセンブリとの間の距離は、図１に示すように、基板４０の上面４１に平行な、あるいは少なくとも実質的に平行な方向に測定することができる。
【００２４】
このことは、第１の操作されるアセンブリの任意の適切な部分、構成要素、及び／または領域と、第２の操作されるアセンブリの任意の適切な部分、構成要素、及び／または領域との間の任意の適切な距離を測定することを含むことができる。第１の操作されるアセンブリ及び／または第２の操作されるアセンブリの適切な構成要素の例は、ＶＮＡエクステンダ装着プレート１５０、ＶＮＡエクステンダ１６０、プローブ１７０、プローブチップ１７４、及び／または導波路１８０のうちの１つ以上を含む。一例として、測定装置１９０は、第１の操作されるアセンブリ１４１のプローブ１７０と第２の操作されるアセンブリ１４２のプローブ１７０との間の距離を測定することができる。他の例として、操作されるアセンブリ１４０がＶＮＡエクステンダ装着プレート１５０を含む際には、測定装置１９０は、第１の操作されるアセンブリ１４１のＶＮＡエクステンダ装着プレート１５０と第２の操作されるアセンブリ１４２のＶＮＡエクステンダ装着プレート１５０との間の距離を測定することができる。
【００２５】
測定装置１９０はあらゆる適切な構造を含むことができる。例として、測定装置１９０は、マイクロメーター、カリパス、容量性プローブ、光エンコーダ、及び／または干渉計のうちの１つ以上を含むことができる。他の例として、測定装置１９０は電子測定装置を含むことができ、あるいは電子測定装置とすることができる。さらに他の例として、図１に示すように、測定装置１９０は、第１の操作されるアセンブリと第２の操作されるアセンブリとの間の距離を示すように構成されたディスプレイを含むことができる。
【００２６】
測定装置１９０は、第１の操作されるアセンブリ１４１と第２の操作されるアセンブリ１４２との間の距離を測定することができる。一例として、図１に示すように、第１の操作されるアセンブリ１４１は測定装置マウント１９４を含むことができ、測定装置１９０は動作可能なように測定装置マウントに取り付けること、あるいは装着することができる。それに加えて、第２の操作されるアセンブリ１４２は当接（ストライカー）面１９６を含むことができ、測定装置１９０は、動作可能なように当接面１９６に接触して、第１の操作されるアセンブリと第２の操作されるアセンブリとの間の距離を測定するように構成することができる。それに加えて、あるいはその代わりに、図１〜３に示すように、当接面１９６は、動作可能なように、例えば対応する測定装置マウント１９４を介して第２の操作されるアセンブリに取り付けることができる。従って、第１の操作されるアセンブリと第２の操作されるアセンブリとの間の距離は、測定装置マウントと当接面との間の距離を含むこと、測定装置マウントと当接面との間の距離とすること、及び／または測定装置マウントと当接面との間の距離に基づくことができる。
【００２７】
測定装置１９０が、第１の操作されるアセンブリ１４１と第２の操作されるアセンブリ１４２との間に延びて、これらに共に接触することができることは、本発明の範囲内である。一例として、測定装置マウント１９４は、測定装置、あるいは測定装置の少なくとも一部分を、動作可能なように、第１の操作されるアセンブリ１４１及び／または第２の操作されるアセンブリ１４２に取り付けることができる。測定装置マウント１９４の例は、あらゆる適切な機械的マウント、ファスナ、締結アセンブリ、真空面、及び／または真空マウントを含む。
【００２８】
しかし、このことは必須要件ではない。一例として、図示するように、測定装置１９０は、干渉計及び／または他の光系またはレーザー系測定装置を含むことができる。これらの条件下では、測定装置１９０は、第１の操作されるアセンブリ１４１及び／または第２の操作されるアセンブリ１４２に物理的に接触する必要はないが、それでも第１の操作されるアセンブリと第２の操作されるアセンブリとの間の距離を定量化する。
【００２９】
測定装置１９０は、単一の測定装置を含むことができ、及び／または単一の測定装置とすることができる。それに加えて、あるいはその代わりに、測定装置１９０は、第１マニピュレータ１２１及び／または第２マニピュレータ１２２と一体化しないことができる。こうした構成は、例えば、第１マニピュレータ１２１の動きを測定し、第２マニピュレータ１２２の動きを別個に測定して、第１の操作されるアセンブリと第２の操作されるアセンブリとの間の距離を間接的に計算するシステムに対して精度を向上させることができる。
【００３０】
第１の操作されるアセンブリと第２の操作されるアセンブリとの間の距離は、第１プローブ１７１のプローブチップ１７４と第２プローブ１７２のプローブチップ１７４との間の絶対距離または相対距離を表すあらゆる適切な距離を含むことができ、あるいはこうした距離とすることができることは、本発明の範囲内である。一例として、こうした距離は、プローブチップ間の距離の直接的尺度とすることができる。他の例として、こうした距離はプローブチップ間の距離の間接的尺度とすることができる。さらに他の例として、こうした距離は、必ずしもプローブチップ間の絶対距離ではなくてもよいが、その代わりに、プローブチップ間の相対距離の相対尺度とすることができ、こうした相対尺度を利用して、プローブチップ間の距離の変化を測定、規定、及び／または定量化することができる。
【００３１】
本明細書中に説明するように、プローブシステム２０はコントローラ９０を含むことができる。プローブシステム２０がコントローラ９０及び測定装置１９０を共に含む際には、測定装置１９０は距離信号１９９を発生するように構成することができ、距離信号１９９は第１の操作されるアセンブリと第２の操作されるアセンブリとの間の距離を示すことができる。これらの条件下では、プローブシステム２０が信号伝達構造１９８をさらに含むことができ、信号伝達構造１９８は距離信号を測定装置からコントローラへ伝達するように構成することができる。信号伝達構造の例は、あらゆる適切な信号伝達配線、信号伝達光ファイバ・ケーブル、有線信号伝達構造、及び／または無線信号伝達構造を含む。コントローラ９０は、存在すれば、例えば方法３００のあらゆる適切な部分を実行することによってプローブシステム２０の動作を制御するように適合させること、構成すること、及び／またはプログラムすることができ、このことは本明細書中で図６を参照しながらより詳細に説明する。こうした制御は、少なくとも部分的に距離信号１９９に基づくことができる。
【００３２】
測定装置１９０を含むプローブシステム２０は、従来のプローブシステムに対していくつかの利益をもたらすことができ、従来のプローブシステムは、第１の操作されるアセンブリと第２の操作されるアセンブリとの間の距離を測定しない、あるいは少なくとも直接測定しない。一例として、特定条件下では、図１に示す試験構造４４の第１接触位置４６及び第２接触位置４８に接触するために利用するプローブチップ１７４間の距離を正確に知ること、あるいは正確に定量化することが望ましいことがある。それに加えて、あるいはその代わりに、プローブチップ１７４間の距離を、一連の測定にわたって、一連の異なる測定温度にわたって、及び／またはプローブシステム２０の熱ゆらぎにかかわらず維持することが望ましいこともある。これらの条件下では、本明細書中に開示するプローブシステム２０が、従来のプローブシステムに比べると、プローブチップ間の距離のより正確な測定を可能にすることができ、及び／またはプローブチップどうしを所望の分離距離により正確に維持することを可能にすることができる。
【００３３】
より具体的な例として、ミリメートル波（ｍｍＷ）の測定を実行する前に、貫通型の、開放型の、短絡型の導電トレースのような一連の異なる試験構造４４と接触させることによって、及び／または精密に知られている寸法を有する一連の線路と接触させることによって、プローブシステムを較正することができる。これらの条件下では、固定された、あるいは少なくとも実質的に固定されたプローブチップ間の距離を維持すること、及び／または、プローブチップを利用して種々の試験構造に接触させる間に、プローブチップ間の距離の変化を明確にすることが有益であることがあり、プローブシステム２０は、測定装置１９０を利用したプローブチップ間の距離の直接測定により、改善された較正を可能にすること、及び／または促進することができる。
【００３４】
マニピュレータ１２０は、対応するプローブマウント１２６を選択的に、かつ動作可能なように、対応するマニピュレータ・マウント１２４に対して平行移動させるように、及び／または、対応するマニピュレータ・アセンブリ１４０を選択的に、かつ動作可能なようにプラテン１１０に対して平行移動させるように適合させること、構成すること、設計すること、及び／または組み立てることができるあらゆる適切な構造を含むことができる。例として、マニピュレータ１２０は、手動で作動するマニピュレータ、機械的に作動するマニピュレータ、電気的に作動するマニピュレータ、送りネジ（リードスクリュー）とナットのアセンブリ、ボールネジとナットのアセンブリ、ラック（歯竿）とピニオン（小歯車）のアセンブリ、リニア・アクチュエータ、ロータリー・アクチュエータ、及び／またはステッパ・モータのうちの１つ以上を含むことができる。図２〜３には、第１マニピュレータ１２１を手動で作動するマニピュレータとして示し、第２マニピュレータ１２２を電気的に作動するマニピュレータとして示す。図４〜５には、マニピュレータ１２０を電気的に作動するマニピュレータとして示している。プローブシステム２０は、手動で作動するマニピュレータ１２０及び／または電気的に作動するマニピュレータ１２０のあらゆる適切な組合せを含むことができる。
【００３５】
マニピュレータ１２０は、あらゆる適切な方向の動きをもたらすように構成することができる。一例として、マニピュレータ１２０は、対応するプローブ・マウント及び／または対応する操作されるアセンブリを、選択的に、かつ動作可能なように、図１のＸ軸、Ｙ軸、及び／またはＺ軸に沿って平行移動させるように構成することができる。それに加えて、あるいはその代わりに、マニピュレータ１２０は、対応するプローブ・マウント及び／または対応する操作されるアセンブリを、選択的に、かつ動作可能なように、Ｘ軸、Ｙ軸、及び／またはＺ軸の周りに旋回または回転させるように構成することができる。本明細書中では、こうした旋回または回転をヨー（yaw）、ピッチ（pitch）、及びロール（roll）調整と称することもある。Ｘ軸は、チャック３０の支持面３２と平行に、あるいは少なくとも実質的に平行にすることができるのに対し、Ｙ軸は、この支持面に平行に、あるいは少なくとも実質的に平行にすることができるが、Ｘ軸に直交する。Ｚ軸は、Ｘ軸、Ｙ軸、及び／またはこの支持面に垂直に、あるいは少なくとも実質的に垂直にすることができる。
【００３６】
第１プローブ１７１及び第２プローブ１７２のようなプローブ１７０は、動作可能なように、電気的に、及び／または機械的に、基板４０、ＤＵＴ４２、試験構造４４、第１接触位置４６、及び／または第２接触位置４８に接触するように適合させること、構成すること、設計すること、及び／または組み立てることができるあらゆる適切な構造を含むことができる。例として、プローブ１７０は、複数のプローブのそれぞれを含むニードル（針状）プローブ、テストヘッド、及び／またはプローブヘッドのうちの１つ以上を含むことができる。各プローブ１７０は、少なくとも１つの対応するプローブチップ１７４を含むことができる。
【００３７】
図１中に破線で示すように、プローブシステム２０は下部エンクロージャ（包囲体）５０及び／または上部エンクロージャ６０を含むことができる。下部エンクロージャ５０は、存在すれば、閉じた体積空間５２を少なくとも部分的に規定すること及び／または境界付けることができ、チャック３０及び／またはその支持面３２は、この閉じた体積空間内に配置することができる。別の言い方をすれば、下部エンクロージャ５０は、チャック３０における支持面３２を規定する部分のようなチャック３０の少なくとも一部分を包囲すること、収容すること、及び／または包含することができる。
【００３８】
上部エンクロージャ６０も、存在すれば、閉じた体積空間５２を少なくとも部分的に規定すること及び／または境界付けることができ、そして開口６２を含むことができる。マニピュレータ１２０、及びＶＮＡエクステンダ１６０のような操作されるアセンブリ１４０の少なくとも一部分は、閉じた体積空間５２の外部にあることができる。それに加えて、所定のプローブ１７０及び／または導波路１８０の少なくとも一部分は開口６２を通って延びることができ、これにより、対応するプローブチップ１７４を閉じた体積空間内に配置することができる。
【００３９】
図６は、本発明による、図１〜５のプローブシステム２０のようなプローブシステムを利用する方法３００の例を示すフローチャートである。方法３００は、ブロック３１０で第１プローブを動作可能なように位置合わせするステップと、ブロック３２０で第２プローブを動作可能なように位置合わせするステップとを含む。方法３００は、ブロック３３０で第１の操作されるアセンブリと第２の操作されるアセンブリとの間の距離を直接測定するステップと、ブロック３４０で第１プローブを第１接触位置に接触させるステップと、ブロック３５０で第２プローブを第２接触位置に接触させるステップも含む。方法３００は、ブロック３６０で試験信号を供給するステップと、ブロック３７０で結果的に生じる信号を受信するステップとをさらに含む。方法３００は、ブロック３８０でプローブシステムを較正するステップ、ブロック３８５でＤＵＴを測定するステップ、及び／またはブロック３９０で方法の少なくとも一部分を反復するステップを含むこともできる。
【００４０】
ブロック３１０で第１プローブを動作可能なように位置合わせするステップは、第１の操作されるアセンブリの一部分を形成することができる第１プローブを動作可能なように第１接触位置に位置合わせすることを含むことができ、第１接触位置は、電気的構造の一部分を形成することができ、あるいは電気的構造と電気が通じることができ、電気的構造の例は本明細書中に開示する。同様に、ブロック２で第２プローブを動作可能なように位置合わせするステップは、第２の操作されるアセンブリの一部分を形成することができる第２プローブを動作可能なように第２接触位置に位置合わせすることを含むことができ、第２接触位置も、上記電気的構造の一部分を形成することができ、あるいは上記電気的構造と電気が通じることができる。
【００４１】
ブロック３１０で動作可能なように位置合わせするステップと、ブロック３２０で動作可能なように位置合わせするステップは、あらゆる適切な方法で実現することができる。例として、ブロック３１０で動作可能なように位置合わせするステップは、第１の操作されるアセンブリを動作可能なように第１マニピュレータで上記電気的構造に対して平行移動させること、及び／または、上記電気的構造を含む基板を支持するチャックの平行移動ステージで上記電気的構造を動作可能なように第１プローブに対して平行移動させることを含むことができる。同様に、ブロック３２０で動作可能なように位置合わせするステップは、第２の操作されるアセンブリを、動作可能なように第２マニピュレータで上記電気的構造に対して平行移動させること、及び／または、上記電気的構造を、動作可能なように上記平行移動ステージで第２プローブに対して平行移動させることを含むことができる。
【００４２】
ブロック３３０で第１の操作されるアセンブリと第２の操作されるアセンブリとの間の距離を直接測定するステップは、この距離をあらゆる適切な方法で測定することを含むことができる。一例として、この直接測定するステップは、図１〜３の測定装置１９０のような測定装置、あるいは単一の測定装置で直接測定することを含むことができる。他の例として、ブロック３３０で直接測定するステップは、第１の操作されるアセンブリの測定装置マウントのような第１所定部分と、第２の操作されるアセンブリの当接面のような第２所定部分との間の距離を測定することを含むことができる。さらに他の例として、ブロック３３０で直接測定するステップは、測定面内または測定面の内側で直接測定することを含み、この測定面は、上記第１接触位置及び上記第２接触位置を含む、あるいは規定する上記電気的構造の表面に平行であるか、あるいは実質的に平行である。
【００４３】
ブロック３３０で直接測定するステップを、方法３００内のあらゆる適切なタイミング及び／または順序で実行することができることは、本発明の範囲内である。例として、ブロック３３０で直接測定するステップは、ブロック３１０で動作可能なように位置合わせするステップに後続して、ブロック３２０で動作可能なように位置合わせするステップに後続して、ブロック３４０で接触させるステップの前に、ブロック３５０で接触させるステップの前に、ブロック３４０で接触させるステップに後続して、及び／またはブロック３５０で接触させるステップに後続して実行することができる。
【００４４】
ブロック３４０で第１プローブを第１接触位置に接触させるステップ、及びブロック３５０で第２プローブを第２接触位置に接触させるステップは、あらゆる適切な方法で接触させることを含むことができる。例として、ブロック３４０で接触させるステップは、第１プローブを第１接触位置に物理的に、機械的に、及び／または電気的に接触させること、第１プローブを第１接触位置に向けて移動させること、及び／または第１接触位置を第１プローブに向けて移動させることを含むことができる。同様に、ブロック３５０で接触させるステップは、第２プローブを第２接触位置に物理的に、機械的に、及び／または電気的に接触させること、第２プローブを第２接触位置に向けて移動させること、及び／または第２接触位置を第２プローブに向けて移動させることを含むことができる。
【００４５】
ブロック３４０で接触させるステップ及び／またはブロック３５０で接触させるステップは、方法３００内のあらゆる適切なタイミング及び／または順序で実行することができる。一例として、ブロック３４０において接触させるステップは、第１プローブを動作可能なように第１接触位置に位置合わせするステップに後続することができる。同様に、ブロック３５０において接触させるステップは、第２プローブを動作可能なように第２接触位置に位置合わせするステップに後続することができる。
【００４６】
ブロック３６０で試験信号を供給するステップは、あらゆる適切な試験信号を、第１プローブ及び／または第２プローブを通して、介して、及び／または利用して上記電気的構造に供給することを含むことができる。例として、ブロック３６０で供給するステップは、試験信号を、少なくとも５０GHz、少なくとも６０GHz、少なくとも８０GHz、少なくとも１００GHz、少なくとも１５０GHz、少なくとも２００GHz、最大１０００GHz、最大８００GHz、最大６００GHz、最大５００GHz、最大４００GHz、最大３００GHz、及び／または最大２００GHzの試験信号周波数で供給することを含むことができる。それに加えて、あるいはその代わりに、ブロック３６０で供給するステップは、試験信号を試験信号発生兼解析アセンブリから供給すること、試験信号をベクトル・ネットワークアナライザから供給すること、及び／または試験信号をベクトル・ネットワークアナライザ・エクステンダから供給することを含むことができる。
【００４７】
ブロック３６０で供給するステップは、方法３００の実行中にあらゆる適切なタイミング及び／または順序で実行することができる。例として、ブロック３６０で供給するステップは、ブロック３４０で第１プローブを第１接触位置に接触させるステップに後続して、及び／またはブロック３５０で第２プローブを第２接触位置に接触させるステップに後続して実行することができる。
【００４８】
ブロック３７０で結果的に生じる信号を受信するステップは、あらゆる適切な結果的に生じる信号を上記電気的構造から、第１プローブ及び／または第２プローブを通して、介して、及び／または利用して受信することを含むことができる。例として、ブロック３７０で受信するステップは、結果的に生じる信号を、少なくとも５０GHz、少なくとも６０GHz、少なくとも８０GHz、少なくとも１００GHz、少なくとも１５０GHz、少なくとも２００GHz、最大１０００GHz、最大８００GHz、最大６００GHz、最大５００GHz、最大４００GHz、最大３００GHz、及び／または最大２００GHzの結果信号周波数で受信することを含むことができる。それに加えて、あるいはその代わりに、ブロック３７０で受信するステップは、結果的に生じる信号を試験信号発生兼解析アセンブリで受信すること、結果的に生じる信号をベクトル・ネットワークアナライザで受信すること、及び／または結果的に生じる信号をベクトル・ネットワークアナライザ・エクステンダで受信することを含むことができる。
【００４９】
ブロック３７０で受信するステップは、方法３００の実行中にあらゆる適切なタイミング及び／または順序で実行することができる。例として、ブロック３７０で受信するステップは、第１プローブを第１接触位置に接触させるステップに後続して、第２プローブを第２接触位置に接触させるステップに後続して、ブロック３６０で供給するステップに後続して、及び／またはブロック３６０で供給するステップに応答して実行することができる。
【００５０】
本明細書中では、ブロック３８０でプローブシステムを較正するステップを、ブロック３８０でプローブシステムを特性化するステップと称することもある。ブロック３８０で較正するステップ中には、上記電気的構造が試験構造を含むこと、あるいは上記電気的構造を試験構造とすることができ、較正するステップは、プローブシステムを、少なくとも部分的に、試験構造の構成に基づいて、ブロック３６０で供給するステップ中に供給された試験信号に基づいて、ブロック３７０で受信するステップ中に受信した上記結果的に生じる信号に基づいて、及び／またはブロック３３０で直接測定するステップ中に測定した、第１の操作されるアセンブリと第２の操作されるアセンブリとの間の距離に基づいて較正することを含むことができる。ブロック３８０で較正するステップは、あらゆる適切な方法で較正することを含むことができる。
【００５１】
一例として、ブロック３８０で較正するステップは、ブロック３３０で直接測定するステップ中に測定した距離を、プローブシステムを較正するために利用する数学的アルゴリズムへの入力として利用することを含むことができる。より具体的な例として、ブロック３８０で較正するステップは、プローブシステムのＳパラメータを特性化することのような、１つ以上の所定試験構造に対する被制御の電気計測を実行することを含むことができる。こうした構成をその後に、例えばブロック３８５で測定するステップ中に利用して、ＤＵＴの１つ以上の特性をより正確に測定すること、及び／または、ブロック３８５で測定するステップ中に実行する測定に対するプローブシステムの影響をデコンボリューション、分離、及び／または除外し、これによりＤＵＴのより正確な特性化を実行することができる。これらの条件下では、ブロック３３０で測定するステップ中に測定した距離をプローブシステムが利用して、プローブシステムのＳパラメータをより正確に特性化、決定、及び／または計算することができる。
【００５２】
他のより具体的な例として、上記被制御の電気計測は、２つの伝送尺度及び１つの反射尺度を測定して２ポート１２項の誤差係数をプローブシステムについて決定する直結、反射、伝送線路（ＴＲＬ：Thru, Reflect, Line）測定の一部とすることができる。ＴＲＬ測定中には、直結試験構造、開放試験構造、及び短い試験構造を測定することができる。それに加えて、既知の寸法で長さが変化する一連の伝送線路を測定することもできる。これらの試験構造及び伝送線路の測定は、異なる伝送線路を測定するために第１プローブと第２プローブとの間の距離を調整することを必要とすることがあり、結果として生じるプローブシステムの較正の正確度は、各測定中の第１プローブと第２プローブとの間の距離によって大幅な影響を与えられる。別の言い方をすれば、ブロック３３０で測定するステップ中に提供することができるような、第１プローブと第２プローブとの間の距離の正確な知識は、プローブシステムをより正確に較正することを可能にすることができる。このことを念頭に置いて、ブロック３８０で較正するステップは、ブロック３３０で測定するステップ中に測定した距離に少なくとも部分的に基づいて、プローブシステムの較正を調整すること、Ｓパラメータの計算を調整すること、及び／または２ポート１２項の誤差係数の計算を調整することを含むことができる。一例では、こうした調整は、ブロック３３０で測定するステップに少なくとも部分的に基づいて、第１プローブと第２プローブとの間の実際距離、及び第１プローブと第２プローブとの間の所望の、あるいは理論的距離を明確にすることを含むことができる。
【００５３】
他の例として、ブロック３４０で接触させるステップの前に、及び／またはブロック３５０で接触させるステップの前に、ブロック３８０で較正するステップは、第１の操作されるアセンブリと第２の操作されるアセンブリとの間の距離を調整することを含むことができる。このことは、ブロック３４０で接触させるステップに後続して、かつブロック３５０で接触させるステップにも後続して、第１の操作されるアセンブリと第２の操作されるアセンブリとの間の距離を、所定の、所望の、あるいは目標の距離範囲内に維持するように調整することを含むことができる。
【００５４】
ブロック３８０で較正するステップが、第１の操作されるアセンブリと第２の操作されるアセンブリとの間の距離を調整することを含む際には、この調整することをあらゆる適切な方法で実行することができる。例として、この調整することは、第１の操作されるアセンブリを動作可能なように平行移動させること、及び／または第２の操作されるアセンブリを動作可能なように平行移動させることを含むことができる。追加的な例として、この調整することは、例えばプローブシステムのユーザが手動で調整すること、及び／または、例えば電子制御マニピュレータまたは電動マニピュレータにより自動的に調整することを含むことができる。
【００５５】
上記調整することが手動で調整することを含む際には、方法３００は距離オフセットを表示することをさらに含むことができ、手動で調整することは、この距離オフセットに少なくとも部分的に基づくことができる。距離オフセットの例は、第１の操作されるアセンブリと第２の操作されるアセンブリとの間の距離、及び／または、第１の操作されるアセンブリと第２の操作されるアセンブリとの間の距離と、第１の操作されるアセンブリと第２の操作されるアセンブリとの間の所望距離との差を含む。
【００５６】
ブロック３８０で較正するステップは、方法３００の実行中にあらゆる適切なタイミング及び／または順序で実行することができる。例として、ブロック３８０で較正するステップは、ブロック３８０で較正するステップが第１の操作されるアセンブリと第２の操作されるアセンブリとの間の距離を調整することを含む際のように、ブロック３４０で接触させるステップの前に、及び／またはブロック３５０で接触させるステップの前に実行することができる。追加的な例として、ブロック３８０で較正するステップは、ブロック３８０で較正するステップが、第１の操作されるアセンブリと第２の操作されるアセンブリとの間の距離を上記数学的アルゴリズムへの入力として利用する際のように、ブロック３４０で接触させるステップに後続して、ブロック３５０で接触させるステップに後続して、ブロック３６０で供給するステップに後続して、及び／またはブロック３７０で受信するステップに後続して実行することができる。
【００５７】
本明細書中では、ブロック３８５でＤＵＴを測定するステップを、ブロック３８５で上記電気的構造を特性化するステップと称することもある。ブロック３８５で測定するステップ中に、上記電気的構造は、ＤＵＴを含むこと、あるいはＤＵＴとすることができ、ブロック３８５で測定するステップは、ＤＵＴのあらゆる適切な性質及び／または特性を測定することを含むことができる。一例として、ブロック３８５で測定するステップは、ＤＵＴのＳパラメータを決定すること、規定すること、及び／または計算することを含むことができる。これらの条件下では、ブロック３８５で測定するステップをブロック３８０で較正するステップに後続して実行することができ、これにより、ブロック３８５で測定するステップ中に収集したデータにプローブシステムが与える影響とは独立してＤＵＴのＳパラメータを定量化することができ、及び／または、ＤＵＴを測定する前にプローブシステムのＳパラメータを知ることができる。
【００５８】
ブロック３８５で測定するステップが、ブロック３３０で測定するステップに少なくとも部分的に基づくことは、本発明の範囲内である。一例として、ブロック３３０で測定するステップを利用して、ブロック３８５で測定するステップ中に得られた結果の変化を数学的に明確にすること、あるいは調整することはでき、こうした変化は第１プローブと第２プローブとの間の距離の変化によって生じ得る。他の例として、ブロック３３０で測定するステップを利用して、第１プローブと第２プローブとの間の距離を、ブロック３８０で較正するステップを参照して本明細書中に説明するように調整して、ブロック３８５で測定するステップ中に、第１プローブと第２プローブとの間の距離を所定の距離範囲内に維持することができる。
【００５９】
ブロック３９０で方法の少なくとも一部分を反復するステップは、方法３００の任意の適切な部分またはステップを、あらゆる適切な方法で、及び／またはあらゆる適切な順序で実行することを含むことができる。一例として、上記電気的構造は第１の電気的構造とすることができ、上記試験信号は第１試験信号とすることができ、上記結果的に生じる信号は第１結果信号とすることができ、そして上記距離は第１距離とすることができる。これらの条件下では、ブロック３９０で反復するステップは、上記方法を複数回反復して、複数の試験信号のそれぞれを複数の電気的構造のそれぞれに供給すること、及び対応する複数の結果的に生じる信号を複数の電気的構造のそれぞれから受信することを含むことができる。これらの条件下では、ブロック３９０で反復するステップは、ブロック３８０で較正するステップを、それぞれの試験構造の各々の構成  複数の試験信号のそれぞれ、複数の結果的に生じる信号のそれぞれ、及び複数の距離のそれぞれに基づいて実行することをさらに含むことができる。
【００６０】
他の例として、説明したように、ブロック３８０で較正するステップを利用してプローブシステムのＳパラメータを特性化することができる。これらの条件下では、プローブシステムの較正に後続して、ブロック３９０で反復するステップは、少なくとも、ブロック３１０で動作可能なように位置合わせするステップと、ブロック３２０で動作可能なように位置合わせするステップと、ブロック３３０で直接測定するステップと、ブロック３４０で接触させるステップと、ブロック３５０で接触させるステップと、ブロック３６０で供給するステップと、ブロック３７０で受信するステップとをＤＵＴに対して反復することを含んで、例えばブロック３８５で測定するステップをより正確に実行すること、及び／または、プローブシステムの寄与をＤＵＴの寄与から取り除くことを可能にすることができる。
【００６１】
本開示では、説明上の非排他的な例を、方法を一連のブロックまたはステップとして示して記述する流れ図またはフローチャートに関連して説明及び／または提示してきた。随伴する説明中に特に断りのない限り、これらのブロックの順序は、これらのブロック（またはステップ）のうちの２つ以上が異なる順序及び／または同時並行性で発生することを含めて、流れ図中に示す順序から変化することができることは、本発明の範囲内である。これらのブロックまたはステップを論理回路として実現することができることも本発明の範囲内であり、このことは、これらのブロックまたはステップを論理回路として実現することとして記述することもできる。一部の応用では、これらのブロックまたはステップは、表現または動作を機能的に等価な回路または他の論理デバイスによって実行されるように表現することができる。図示するブロックは実行可能な命令を表し、これらの命令は、コンピュータ、プロセッサ、及び／または他の論理デバイスに、応答させること、ある動作を実行させること、状態を変化させること、出力または表示を発生させること、及び／または決定を行わせることができるが、このことは要件ではない。
【００６２】
本明細書中に用いる、第１の実体と第２の実体との間に置かれた「及び／または」とは、(1)第１の実体、(2)第２の実体、及び(3)第１の実体及び第２の実体、のうちの１つを意味する。「及び／または」で列挙した複数の実体は、同じ様式で、即ち、そのように結合した実体のうちの「１つ以上」として解釈するべきである。「及び／または」の節によって具体的に識別される実体以外の他の実体は、具体的に識別されるこれらの実体と関係しても無関係でも、任意で存在することができる。従って、非限定的な例として、「Ａ及び／またはＢ」への言及は、「具えている」のような上限のない文言と共に用いられる際には、一実施形態ではＡのみ（任意でＢ以外の実体を含む）を参照し；他の実施形態ではＢのみ（任意でＡ以外の実体を含む）を参照し；さらに他の実施形態ではＡ及びＢを共に（任意で他の実体を含む）を参照する。これらの実体は、要素、動作、構造、ステップ、操作、値、等を参照することができる。
【００６３】
本明細書中に用いる、１つ以上の実体のリストを参照する「少なくとも１つの」という句は、実体のリスト中の複数の実体のうちの任意の１つ以上から選択した少なくとも１つの実体を意味するものと理解するべきであるが、実体のリスト内に具体的に列挙したあらゆるすべての実体のうちの１つを必ずしも含まず、実体のリスト中の実体の任意の組合せを排除しない。こうした定義は、「少なくとも１つの」という句が参照する実体のリスト内に明示的に識別される実体以外の実体が、具体的に識別される実体と関係しても無関係でも、任意で存在し得ることも可能にする。従って、非限定的な例として、「Ａ及びＢの少なくとも一方」（または等価的に「ＡまたはＢの少なくとも一方」）、あるいは等価的に「Ａ及び／またはＢの少なくとも一方」は、一実施形態では、少なくとも１つの、任意で２つ以上のＡを含み、Ｂは存在しない（任意で、Ｂ以外の実体を含む）ことを参照することができ；他の実施形態では、少なくとも１つの、任意で２つ以上のＢを含み、Ａは存在しない（任意で、Ａ以外の実体を含む）ことを参照することができ、さらに他の実施形態では、少なくとも１つの、任意で２つ以上のＡ、及び少なくとも１つの、任意で２つ以上のＢを含む（任意で他の実体を含む）ことを参照することができる。換言すれば、「少なくとも１つの」、「１つ以上の」、及び「及び／または」という句は、その働きにおいて接続詞であると共に離接語である上限のない表現である。例えば、「Ａ、Ｂ、及びＣの少なくとも１つ」、「Ａ、Ｂ、またはＣの少なくとも１つ」、及び「Ａ、Ｂ、及び／またはＣ」という表現の各々は、Ａ単独、Ｂ単独、Ｃ単独、ＡとＢ一緒に、ＡとＣ一緒に、ＢとＣ一緒に、Ａ、Ｂ、及びＣ一緒に、及び任意で、上記のいずれかと少なくとも１つの他の実体との組合せを意味することができる。
【００６４】
何らかの特許、特許出願、または他の参考文献を参照することによって本明細書に含め、(1)これらの文献等と矛盾するやり方で用語を定義する場合、及び／または(2)さもなければ、これらの文献等が、本開示における（これらの文献等を）含めた以外の部分にせよ他に含まれる参考文献のいずれかにせよ、それらと矛盾する場合には、本開示における（これらの文献等を）含めた以外の部分が支配的であり、上記用語または本開示中に含めた部分は、その用語を定義した文献、及び／または本開示に含めた開示が元々存在した文献のみに対して支配的である。
【００６５】
本明細書中に用いる「適合している」及び「構成されている」は、その要素、構成要素、または他の主体が、所定機能を実行するように設計され、及び／または所定機能を実行することを意図されていることを意味する。従って、「適合している」及び「構成されている」の使用は、所定の要素、構成要素、または他の主体が所定機能を単に実行する「ことができる」ことを意味するものと解釈するべきでなく、その要素、構成要素、及び／または他の主体が、その機能を実行する目的で具体的に選択、作製、実現、利用、プログラム、及び／または設計されていることを意味するものと解釈するべきである。特定機能を実行するように適合しているものとして記載されている要素、構成要素、及び／または他に記載する主体を、その機能を実行するように構成されているものとして追加的に、あるいは代替的に記述することができることも、本発明の範囲内であり、その逆も成り立つ。
【００６６】
本明細書中に用いる「例えば」という句、「一例として」という句、及び／または単に「例」という語は、本発明による１つ以上の構成要素、特徴、細部、構造、実施形態、及び／または方法を参照して用いる際には、記載した構成要素、特徴、細部、構造、実施形態、及び／または方法が、本発明による構成要素、特徴、細部、構造、実施形態、及び／または方法の説明上の非排他的な例であることを伝えることを意図している。従って、記載した構成要素、特徴、細部、構造、実施形態、及び／または方法が、限定的であること、要件であること、あるいは排他的／網羅的であることは意図しておらず、他の構成要素、特徴、細部、構造、実施形態、及び／または方法も、構造的及び／または機能的に同様な及び／または等価な構成要素、特徴、細部、構造、実施形態、及び／または方法を含めて、本発明の範囲内である。
【００６７】
以下に列挙する段落では、本発明によるシステム及び方法の説明上の非排他的な例を提示する。本明細書中に記載する方法の個別のステップは、以下に列挙する段落中に含まれ、追加的に、あるいは代替的に、記載した動作を実行する「ためのステップ」と称することもできることは、本発明の範囲内である。
【００６８】
Ａ１．
プローブヘッド・アセンブリと；
チャックと；
ベクトル・ネットワークアナライザとを含むプローブシステムであって、
プローブヘッド・アセンブリは：
(i) プラテンと；
(ii) マニピュレータと；
(iii) ベクトル・ネットワークアナライザ（ＶＮＡ）エクステンダと；
(iv) プローブとを含み、
マニピュレータは、動作可能なようにプラテンに取り付けられたマニピュレータ・マウント、及びプローブ・マウントを含み、任意で、マニピュレータは、プローブ・マウントを選択的に、かつ動作可能なようにマニピュレータ・マウントに対して平行移動させるように構成され、
ＶＮＡエクステンダは、動作可能なようにプローブ・マウントに取り付けられ、
プローブは、動作可能なようにＶＮＡエクステンダを介してプローブ・マウントに取り付けられ、任意で、マニピュレータは、ＶＮＡエクステンダ及びプローブを共に、選択的に、かつ動作可能なように、プローブ・マウントの動きによりマニピュレータ・マウントに対して平行移動させるように構成され、
チャックは、被試験デバイス（ＤＵＴ）を含む基板を支持するように構成された支持面を含み、プローブは、この支持面と対面して、当該プローブとＤＵＴとの選択的な電気接触を可能にし、
ベクトル・ネットワークアナライザは、
(i) ＶＮＡエクステンダを介してプローブに試験信号を供給すること；
(ii) 結果的に生じる信号を、プローブからＶＮＡエクステンダを介して受信すること；
のうちの少なくとも一方を行うように構成されているプローブシステム。
【００６９】
Ａ２．段落Ａ１のプローブシステムであって、上記プローブヘッド・アセンブリは、動作可能なように上記プローブ・マウントに取り付けられたＶＮＡエクステンダ装着プレートをさらに含み、さらに、上記ＶＮＡエクステンダは、動作可能なように、このＶＮＡエクステンダ装着プレートを介して上記プローブ・マウントに取り付けられているプローブシステム。
【００７０】
Ａ３．段落Ａ２のプローブシステムであって、上記ＶＮＡエクステンダは、動作可能なように、上記ＶＮＡエクステンダ装着マウントにおける上記支持面と対面する側の表面に取り付けられているプローブシステム。
【００７１】
Ａ４．段落Ａ２〜Ａ３のいずれかのプローブシステムであって、上記ＶＮＡエクステンダが、少なくとも部分的に、上記ＶＮＡエクステンダ装着プレートと上記支持面との間に延びるプローブシステム。
【００７２】
Ａ５．段落Ａ１〜Ａ４のいずれかのプローブシステムであって、上記ＶＮＡエクステンダ装着プレートが上記プローブ・マウントに直接取り付けられているプローブシステム。
【００７３】
Ａ６．段落Ａ１〜Ａ５のいずれかのプローブシステムであって、上記ＶＮＡエクステンダがＶＮＡエクステンダ装着プレートに直接取り付けられているプローブシステム。
【００７４】
Ａ７．段落Ａ１〜Ａ６のいずれかのプローブシステムであって、上記プローブが上記ＶＮＡエクステンダに直接取り付けられているプローブシステム。
【００７５】
Ａ８．段落Ａ１〜Ａ７のいずれかのプローブシステムであって、このプローブシステムが、上記ＶＮＡエクステンダと上記プローブとの間に延びて上記ＶＮＡエクステンダと上記プローブとを電気的かつ機械的に相互接続する導波路をさらに含むプローブシステム。
【００７６】
Ａ９．段落Ａ８のプローブシステムであって、上記マニピュレータが、上記導波路を選択的に、かつ動作可能なように、上記プローブ・マウントの動きにより上記マニピュレータマウントに対して平行移動させるように構成されているプローブシステム。
【００７７】
Ａ１０．段落Ａ１〜Ａ９のいずれかのプローブシステムであって、上記マニピュレータが、上記プローブ・マウントを、動作可能なように、Ｘ軸、Ｙ軸、Ｚ軸のうちの少なくとも１つ、任意で少なくとも２つ、さらに任意で３つ全部に沿って平行移動させるように構成され、任意で：
(i) Ｘ軸が上記支持面に平行である、あるいは少なくとも実質的に平行である；
(ii) Ｙ軸が上記支持面に平行であり、あるいは少なくとも実質的に平行であり、かつＸ軸に直交する、あるいは少なくとも実質的に直交する；及び、
(iii) Ｚ軸が、Ｘ軸、Ｙ軸、及び上記支持面のうちの少なくとも１つ、任意で少なくとも２つ、さらに任意で３つ全部に直交する、あるいは少なくとも実質的に直交する；
のうちの少なくとも１つであるプローブシステム。
【００７８】
Ａ１１．段落Ａ１０のプローブシステムであって、上記マニピュレータが、上記プローブ・マウントを上記マニピュレータに対して、Ｘ軸、Ｙ軸、及びＺ軸のうちの少なくとも１つ、任意で少なくとも２つ、さらに任意で３つ全部の周りに旋回させるようにさらに構成されているプローブシステム。
【００７９】
Ａ１２．段落Ａ１〜Ａ１１のいずれかのプローブシステムであって、上記マニピュレータが：
(i) 手動で作動するマニピュレータ；及び
(ii) 電気的に作動するマニピュレータ；
のうちの少なくとも一方であるプローブシステム。
【００８０】
Ａ１３．段落Ａ１〜Ａ１２のいずれかのプローブシステムであって、このプローブシステムが、上記ベクトル・ネットワークアナライザと上記ＶＮＡエクステンダとを電気的に相互接続するデータケーブルをさらに含むプローブシステム。
【００８１】
Ａ１４．段落Ａ１３のプローブシステムであって、上記データケーブルが、上記ベクトル・ネットワークアナライザと上記ＶＮＡエクステンダとの間の第１信号伝送長を規定し、このプローブシステムが、上記ＶＮＡエクステンダと上記プローブのプローブチップとの間の第２信号伝送長を規定し、さらに、この第２信号伝送長が上記第１信号伝送長の閾値割合よりも小さいプローブシステム。
【００８２】
Ａ１５．段落Ａ１４のプローブシステムであって、上記閾値割合が、上記第１信号伝送長の１０％未満、５％未満、１％未満、０．５％未満、０．１％未満、０．０５％未満、０．０１％未満であるプローブシステム。
【００８３】
Ａ１６．段落Ａ１〜Ａ１５のいずれかのプローブシステムであって、上記ＶＮＡエクステンダが、試験信号を上記ベクトル・ネットワークアナライザから第１周波数で受信して、この試験信号を上記プローブに、第１周波数よりも大きい第２周波数で供給するように構成されているプローブシステム。
【００８４】
Ａ１７．段落Ａ１６のプローブシステムであって、上記第１周波数が、最大１０ギガヘルツ（GHz）、最大２０GHz、最大３０GHz、最大４０GHz、最大５０GHz、最大６０GHz、最大７０GHz、または最大８０GHzであるプローブシステム。
【００８５】
Ａ１８．段落Ａ１６〜Ａ１７のいずれかのプローブシステムであって、上記第２周波数が：
(i) 少なくとも５０GHz、少なくとも６０GHz、少なくとも７０GHz、少なくとも８０GHz、少なくとも９０GHz、少なくとも１００GHz、少なくとも２００GHz、または少なくとも３００GHz；及び、
(ii) 最大１，０００GHz、最大８００GHz、最大６００GHz、最大５００GHz、最大４００GHz、最大３００GHz、または最大２００GHz；
のうちの少なくとも一方であるプローブシステム。
【００８６】
Ａ１９．段落Ａ１〜Ａ１８のいずれかのプローブシステムであって、上記プローブシステムが、閉じた体積空間を少なくとも部分的に規定する下部エンクロージャを含み、上記支持面がこの下部エンクロージャ内に配置されているプローブシステム。
【００８７】
Ａ２０．段落Ａ１９のプローブシステムであって、このプローブシステムが、上記閉じた体積空間を部分的に規定する上部エンクロージャをさらに含み、この上部エンクロージャは開口を含み、さらに、上記プローブがこの開口を通って延びて、当該プローブの上記プローブチップが上記閉じた体積空間内に配置されるプローブシステム。
【００８８】
Ｂ１．
チャックと；
プローブヘッド・アセンブリと；
測定装置とを具えたプローブシステムであって、
チャックは、被試験デバイス（ＤＵＴ）を含む基板を支持するように構成された支持面を含み、
プローブヘッド・アセンブリは：
(i) プラテンと；
(ii) 第１マニピュレータと；
(iii) 第１の操作されるアセンブリと；
(iv) 第２マニピュレータと；
(v) 第２の操作されるアセンブリとを含み、
第１マニピュレータは動作可能なようにプラテンに取り付けられ、
第１の操作されるアセンブリは、ＤＵＴに接触するように構成された第１プローブを含み、第１の操作されるアセンブリは、動作可能なように第１マニピュレータに取り付けられ、任意で、動作可能なように、第１マニピュレータの作動によりプラテンに対して平行移動するように構成され、
第２マニピュレータは動作可能なようにプラテンに取り付けられ、
第２の操作されるアセンブリは、ＤＵＴに接触するように構成された第２プローブを含み、第２の操作されるアセンブリは、動作可能なように第２マニピュレータに取り付けられ、任意で、動作可能なように、第２マニピュレータの作動によりプラテンに対して平行移動するように構成され、任意で、第１マニピュレータ及び第２マニピュレータは、独立して作動して、第１の操作されるアセンブリと第２の操作されるアセンブリとを動作可能なように互いに対して平行移動させるように構成され、
測定装置は、第１の操作されるアセンブリと第２の操作されるアセンブリとの間の距離を直接測定するように構成されているプローブシステム。
【００８９】
Ｂ２．段落Ｂ１のプローブシステムであって、上記測定装置が：
(i) マイクロメーター；
(ii) 容量性プローブ；及び、
(iii) 干渉計；
のうちの少なくとも１つを含むプローブシステム。
【００９０】
Ｂ３．段落Ｂ１〜Ｂ２のいずれかのプローブシステムであって、上記測定装置が電子測定装置であるプローブシステム。
【００９１】
Ｂ４．段落Ｂ１〜Ｂ３のいずれかのプローブシステムであって、上記測定装置が、上記第１の操作されるアセンブリと上記第２の操作されるアセンブリとの間の距離を示すように構成されたディスプレイを含むプローブシステム。
【００９２】
Ｂ５．段落Ｂ１〜Ｂ４のいずれかのプローブシステムであって、上記第１の操作されるアセンブリが測定装置マウントを含み、上記測定装置が動作可能なように測定装置マウントに取り付けられているプローブシステム。
【００９３】
Ｂ６．段落Ｂ５のプローブシステムであって、上記第２の操作されるアセンブリが当接面を含み、上記測定装置が、動作可能なようにこの当接面に接触して、上記第１の操作されるアセンブリと上記第２の操作されるアセンブリとの間の距離を測定するように構成され、任意で、上記第１の操作されるアセンブリと上記第２の操作されるアセンブリとの間の距離が、上記測定装置マウントと上記当接面との間の距離を含み、上記測定装置マウントと上記当接面との間の距離に基づき、あるいは上記測定装置マウントと上記当接面との間の距離であるプローブシステム。
【００９４】
Ｂ７．段落Ｂ１〜Ｂ６のいずれかのプローブシステムであって、上記測定システムが、上記第１の操作されるアセンブリと上記第２の操作されるアセンブリとの間に延びて、動作可能なように上記第１の操作されるアセンブリ及び上記第２の操作されるアセンブリに共に接触するプローブシステム。
【００９５】
Ｂ８．段落Ｂ１〜Ｂ７のいずれかのプローブシステムであって、上記測定装置が単一の測定装置であるプローブシステム。
【００９６】
Ｂ９．段落Ｂ１〜Ｂ８のいずれかのプローブシステムであって、上記測定装置が、上記第１マニピュレータまたは上記第２マニピュレータのいずれかと一体化されていないプローブシステム。
【００９７】
Ｂ１０．段落Ｂ１〜Ｂ９のいずれかのプローブシステムであって、上記第１プローブが：
(i) 第１ニードルプローブ；
(ii) 第１テストヘッド；及び、
(iii) 複数の第１プローブを含む第１プローブヘッド；
のうちの少なくとも１つを含むプローブシステム。
【００９８】
Ｂ１１．段落Ｂ１〜Ｂ１０のいずれかのプローブシステムであって、上記第２プローブが：
(i) 第２ニードルプローブ；
(ii) 第２テストヘッド；及び、
(iii) 複数の第２プローブを含む第２プローブヘッド；
のうちの少なくとも１つを含むプローブシステム。
【００９９】
Ｂ１２．段落Ｂ１〜Ｂ１１のいずれかのプローブシステムであって、上記第１マニピュレータが、上記第１の操作されるアセンブリを、動作可能なように、Ｘ軸、Ｙ軸、及びＺ軸のうちの少なくとも１つ、任意で少なくとも２つ、さらに任意で３つ全部に沿って、上記プラテンに対して平行移動させるように構成され、任意で：
(i) Ｘ軸が上記支持面に平行である、あるいは少なくとも実質的に平行である；
(ii) Ｙ軸が上記支持面に平行であり、あるいは少なくとも実質的に平行であり、かつＸ軸に直交する、あるいは少なくとも実質的に直交する；及び、
(iii) Ｚ軸が、Ｘ軸、Ｙ軸、及び上記支持面のうちの少なくとも１つ、任意で少なくとも２つ、さらに任意で３つ全部に直交する；
のうちの少なくとも１つであるプローブシステム。
【０１００】
Ｂ１３．段落Ｂ１〜Ｂ１２のいずれかのプローブシステムであって、上記第１マニピュレータが、上記第１の操作されるアセンブリを上記プラテンに対して、Ｘ軸、Ｙ軸、及びＺ軸のうちの少なくとも１つ、任意で少なくとも２つ、さらに任意で３つ全部の周りに旋回させるようにさらに構成されているプローブシステム。
【０１０１】
Ｂ１４．段落Ｂ１〜Ｂ１３のいずれかのプローブシステムであって、上記第１マニピュレータが：
(i) 手動で作動する第２マニピュレータ；及び
(ii) 電気的に作動する第２マニピュレータ；
のうちの少なくとも一方を含むプローブシステム。
【０１０２】
Ｂ１５．段落Ｂ１〜Ｂ１４のいずれかのプローブシステムであって、上記第２マニピュレータが、上記第２の操作されるアセンブリを、動作可能なように、Ｘ軸、Ｙ軸、及びＺ軸のうちの少なくとも１つ、任意で少なくとも２つ、さらに任意で３つ全部に沿って、上記プラテンに対して平行移動させるように構成され、任意で：
(i) Ｘ軸が上記支持面に平行である、あるいは少なくとも実質的に平行である；
(ii) Ｙ軸が上記支持面に平行であり、あるいは少なくとも実質的に平行であり、かつＸ軸に直交する、あるいは少なくとも実質的に直交する；及び、
(iii) Ｚ軸が、Ｘ軸、Ｙ軸、及び上記支持面のうちの少なくとも１つ、任意で少なくとも２つ、さらに任意で３つ全部に直交する、あるいは少なくとも実質的に直交する；
のうちの少なくとも１つであるプローブシステム。
【０１０３】
Ｂ１６．段落Ｂ１５のプローブシステムであって、上記第２マニピュレータが、上記第２の操作されるアセンブリを、上記プラテンに対して、Ｘ軸、Ｙ軸、及びＺ軸のうちの少なくとも１つ、任意で少なくとも２つ、さらに任意で３つ全部の周りに旋回させるようにさらに構成されているプローブシステム。
【０１０４】
Ｂ１７．段落Ｂ１〜Ｂ１６のいずれかのプローブシステムであって、上記第２マニピュレータが：
(i) 手動で作動する第２マニピュレータ；及び、
(ii) 電気的に作動する第２マニピュレータ；
のうちの少なくとも一方を含むプローブシステム。
【０１０５】
Ｂ１８．段落Ｂ１〜Ｂ１７のいずれかのプローブシステムであって、このプローブシステムが、当該プローブシステムの少なくとも一部分の動作を制御するようにプログラムされたコントローラをさらに含むプローブシステム。
【０１０６】
Ｂ１９．段落Ｂ１６のプローブシステムであって、上記測定装置が、上記第１の操作されるアセンブリと上記第２の操作されるアセンブリとの間の距離を示す距離信号を発生して、この距離信号を上記コントローラに供給するようにさらに構成されているプローブシステム。
【０１０７】
Ｂ２０．段落Ｂ１９のプローブシステムであって、このプローブシステムが、上記距離信号を上記測定装置から上記コントローラへ伝達するように構成された信号伝達構造をさらに含み、任意で、この信号伝達構造は：
(i) 信号伝達配線；
(ii) 信号伝達光ファイバ・ケーブル；
(iii) 有線信号伝達構造；及び、
(iv) 無線信号伝達構造；
のうちの少なくとも１つを含むプローブシステム。
【０１０８】
Ｂ２１．段落Ｂ１６〜Ｂ２０のいずれかのプローブシステムであって、上記コントローラが、段落Ｃ１〜Ｃ２２のいずれかの方法をのいずれかのあらゆる適切な部分を実行するようにプログラムされているプローブシステム。
【０１０９】
Ｃ１．プローブシステムを利用する方法であって：
第１の操作されるアセンブリの第１プローブを、動作可能なように電気的構造の第１接触位置に位置合わせするステップと；
第２の操作されるアセンブリの第２プローブを、動作可能なように電気的構造の第２接触位置に位置合わせするステップと；
測定装置により、第１の操作されるアセンブリと第２の操作されるアセンブリとの間の距離を直接測定するステップと；
第１プローブを第１接触位置に接触させるステップと；
第２プローブを第２接触位置に接触させるステップと；
試験信号を電気的構造に供給するステップと；
結果的に生じる信号を電気的構造から受信するステップと；
プローブシステム及び電気的構造の少なくとも一方を、電気的構造の構成、試験信号、結果的に生じる信号、及び第１の操作されるプローブと第２の操作されるプローブとの間の距離のうちの少なくとも１つに、少なくとも部分的に基づいて特性化するステップと
を含む方法。
【０１１０】
Ｃ２．段落Ｃ１の方法であって、上記第１プローブを動作可能なように上記第１接触位置に位置合わせするステップが：
(i) 上記第１マニピュレータにより、上記第１の操作されるアセンブリを動作可能なように上記電気的構造に対して平行移動させること；及び、
(ii) 上記電気的構造を含む基板を支持するチャックの平行移動ステージにより、上記電気的構造を動作可能なように上記第１プローブに対して平行移動させること；
のうちの少なくとも一方を含む方法。
【０１１１】
Ｃ３．段落Ｃ１〜Ｃ２のいずれかの方法であって、上記第２プローブを動作可能なように上記第２接触位置に位置合わせするステップが：
(i) 上記第２マニピュレータにより、上記第２の操作されるアセンブリを動作可能なように上記電気的構造に対して平行移動させること；及び、
(ii) 上記電気的構造を含む基板を支持するチャックの平行移動ステージにより、上記電気的構造を動作可能なように上記第２プローブに対して平行移動させること；
のうちの少なくとも一方を含む方法。
【０１１２】
Ｃ４．段落Ｃ１〜Ｃ３のいずれかの方法であって、直接測定するステップが、上記第１の操作されるアセンブリの第１所定部分と、上記第２の操作されるアセンブリの第２所定部分との間の距離を測定することを含む方法。
【０１１３】
Ｃ５．段落Ｃ１〜Ｃ４のいずれかの方法であって、直接測定するステップが、上記電気的構造における上記第１接触位置及び上記第２接触位置を含む表面に平行な、あるいは少なくとも実質的に平行な測定面内で直接測定することを含む方法。
【０１１４】
Ｃ６．段落Ｃ１〜Ｃ５のいずれかの方法であって、上記第１プローブを上記第１接触位置に接触させるステップが：
(i) 上記第１プローブを上記第１接触位置に物理的に接触させること；
(ii) 上記第１プローブを上記第１接触位置に機械的に接触させること；
(iii) 上記第１プローブを上記第１接触位置に電気的に接触させること；
(iv) 上記第１プローブを上記第１接触位置に向けて移動させること；及び、
(v) 上記第１接触位置を上記第１プローブに向けて移動させること；
のうちの少なくとも１つを含む方法。
【０１１５】
Ｃ７．段落Ｃ１〜Ｃ６のいずれかの方法であって、上記第２プローブを上記第２接触位置に接触させるステップが：
(i) 上記第２プローブを上記第２接触位置に物理的に接触させること；
(ii) 上記第２プローブを上記第２接触位置に機械的に接触させること；
(iii) 上記第２プローブを上記第２接触位置に電気的に接触させること；
(iv) 上記第２プローブを上記第２接触位置に向けて移動させること；及び、
(v) 上記第２接触位置を上記第２プローブに向けて移動させること；
のうちの少なくとも１つを含む方法。
【０１１６】
Ｃ８．段落Ｃ１〜Ｃ７のいずれかの方法であって、上記試験信号を供給するステップが：
(i) 上記試験信号を、少なくとも５０GHz、少なくとも６０GHz、少なくとも８０GHz、少なくとも１００GHz、少なくとも１５０GHz、または少なくとも２００GHzの試験信号周波数で供給すること；
(ii) 上記試験信号を、最大でも１，０００GHz、最大でも８００GHz、最大でも６００GHz、最大でも５００GHz、最大でも４００GHz、最大でも３００GHz、または最大でも２００GHzの試験信号周波数で供給すること；
(iii) 上記試験信号を試験信号発生兼解析アセンブリから供給すること；
(iv) 上記試験信号をベクトル・ネットワークアナライザから供給すること；
(v) 上記試験信号をベクトル・ネットワークアナライザ・エクステンダから供給すること；
(vi) 上記試験信号を上記第１プローブにより供給すること；及び、
(vii) 上記試験信号を上記第２プローブにより供給すること；
のうちの少なくとも１つを含む方法。
【０１１７】
Ｃ９．段落Ｃ１〜Ｃ８のいずれかの方法であって、上記結果的に生じる信号を受信するステップが：
(i) 上記結果的に生じる信号を、少なくとも５０GHz、少なくとも６０GHz、少なくとも８０GHz、少なくとも１００GHz、少なくとも１５０GHz、または少なくとも２００GHzの結果信号周波数で供給すること；
(ii) 上記結果的に生じる信号を、最大でも１，０００GHz、最大でも８００GHz、最大でも６００GHz、最大でも５００GHz、最大でも４００GHz、最大でも３００GHz、または最大でも２００GHzの結果信号周波数で供給すること；
(iii) 上記結果的に生じる信号を試験信号発生兼解析アセンブリにより受信すること；
(iv) 上記結果的に生じる信号をベクトル・ネットワークアナライザにより受信すること；
(v) 上記結果的に生じる信号をベクトル・ネットワークアナライザ・エクステンダにより受信すること；
(vi) 上記結果的に生じる信号を上記第１プローブにより受信すること；及び、
(vii) 上記結果的に生じる信号を上記第２プローブにより受信すること；
のうちの少なくとも１つを含む方法。
【０１１８】
Ｃ１０．段落Ｃ１〜Ｃ９のいずれかの方法であって、特性化するステップが、上記プローブシステムを較正することを含む方法。
【０１１９】
Ｃ１０．１  段落Ｃ１０の方法であって、較正することが、上記第１の操作されるアセンブリと上記第２の操作されるアセンブリとの間の距離を、上記プローブシステムを較正するために利用する数学的アルゴリズムへの入力として利用することを含む方法。
【０１２０】
Ｃ１１．段落Ｃ１０〜Ｃ１０．１のいずれかの方法であって、較正することが、上記第１プローブを上記第１接触位置に接触させる前に、かつ上記第２プローブを上記第２接触位置に接触させる前に、上記第１の調整されるアセンブリと上記第２の調整されるアセンブリとの間の距離を調整して、上記第１プローブを上記第１接触位置に接触させた後に、かつ上記第２プローブを上記第２接触位置に接触させた後に、上記第１の調整されるアセンブリと上記第２の調整されるアセンブリとの間の距離を所定の閾値距離範囲内に維持する方法。
【０１２１】
Ｃ１２．段落Ｃ１１の方法であって、調整することが：
(i) 上記第１の操作されるアセンブリを動作可能なように平行移動させること；及び、
(ii) 上記第２の操作されるアセンブリを動作可能なように平行移動させること；
のうちの少なくとも一方を含む方法。
【０１２２】
Ｃ１３．段落Ｃ１１〜Ｃ１２のいずれかの方法であって、調整することが、少なくとも１つの電動マニピュレータを利用して自動的に調整することを含む方法。
【０１２３】
Ｃ１４．段落Ｃ１１〜Ｃ１３のいずれかの方法であって、調整することが、手動で調整することを含む方法。
【０１２４】
Ｃ１５．段落Ｃ１４の方法であって、上記方法が、距離オフセットを表示するステップをさらに含み、手動で調整することが、少なくとも部分的にこの距離オフセットに基づいて手動で調整することを含み、さらに、この距離オフセットが：
(i) 上記第１の操作されるアセンブリと上記第２の操作されるアセンブリとの間の距離；及び、
(ii) 上記第１の操作されるアセンブリと上記第２の操作されるアセンブリとの間の距離と、上記第１の操作されるアセンブリと上記第２の操作されるアセンブリとの間の所望の距離との差；
のうちの少なくとも一方を含む方法。
【０１２５】
Ｃ１６．段落Ｃ１〜Ｃ１５のいずれかの方法であって、直接測定するステップを：
(i) 上記第１プローブを動作可能なように位置合わせするステップに後続して実行すること；
(ii) 上記第２プローブを動作可能なように位置合わせするステップに後続して実行すること；
(iii) 上記第１プローブを接触させるステップの前に実行すること；
(iv) 上記第２プローブを接触させるステップの前に実行すること；
(v) 上記第１プローブを接触させるステップに後続して実行すること；及び、
(vi) 上記第２プローブを接触させるステップに後続して実行すること；
のうちの少なくとも１つを行う方法。
【０１２６】
Ｃ１７．段落Ｃ１〜Ｃ１６のいずれかの方法であって：
(i) 上記第１プローブを上記第１接触位置に接触させるステップが、上記第１プローブを動作可能なように上記第１接触位置に位置合わせするステップに後続すること；及び、
(ii) 上記第２プローブを上記第２接触位置に接触させるステップが、上記第２プローブを動作可能なように上記第２接触位置に位置合わせするステップに後続すること；
のうちの少なくとも一方である方法。
【０１２７】
Ｃ１８．段落Ｃ１〜Ｃ１７のいずれかの方法であって、試験信号を供給するステップが、上記第１プローブを上記第１接触位置に接触させるステップに後続し、上記第２プローブを上記第２接触位置に接触させるステップにも後続する方法。
【０１２８】
Ｃ１９．段落Ｃ１〜Ｃ１８のいずれかの方法であって、上記利用することが、上記第１プローブを上記第１接触位置に接触させるステップ及び上記第２プローブを上記第２接触位置に接触させるステップのうちの少なくとも一方に、任意で両方に先行する方法。
【０１２９】
Ｃ２０．段落Ｃ１〜Ｃ１９のいずれかの方法であって、上記利用することを、上記第１プローブを上記第１接触位置に接触させるステップ及び上記第２プローブを上記第２接触位置に接触させるステップのうちの少なくとも一方に、任意で両方に後続させる方法。
【０１３０】
Ｃ２１．段落Ｃ１〜Ｃ２０のいずれかの方法であって、上記電気的構造が、開放試験構造、短絡試験構造、貫通試験構造、導電トレースまたは線路、及び被試験デバイスまたはＤＵＴのうちの少なくとも１つを含む方法。
【０１３１】
Ｃ２２．段落Ｃ１〜Ｃ２１のいずれかの方法であって、上記電気的構造が第１の電気的構造であり、上記試験信号が第１試験信号であり、上記距離が第１距離であり、上記結果的に生じる信号が第１結果信号であり、さらに、上記方法が、上記方法を複数回反復して、複数の試験信号のそれぞれを、複数の電気的構造のそれぞれに供給し、対応する複数の結果的に生じる信号のそれぞれを複数の電気的構造のそれぞれから受信するステップを含み、上記利用することが、複数の電気的構造の各々の構成、複数の試験信号のそれぞれ、複数の結果的に生じる信号のそれぞれ、及び複数の、上記第１の操作されるアセンブリと上記第２の操作されるアセンブリとの間の距離のそれぞれに少なくとも部分的に基づく方法。
【０１３２】
Ｃ２３．段落Ｃ１〜Ｃ２２のいずれかの方法であって、上記方法を、段落Ｂ１〜Ｂ２１のいずれかのプローブシステムを利用して実行する方法。
【産業上の利用可能性】
【０１３３】
本明細書中に開示するプローブシステム及び方法は、半導体製造及び試験産業に適用可能である。
【０１３４】
以上に説明した開示は、独立した単一性を有する複数の区別される発明を包含するものと確信する。これらの発明の各々はその好適な形態の形で開示してきたが、本明細書中に開示して図示するその具体的実施形態は限定的な意味に考えるべきでない、というのは非常に多数の変形例が存在するからである。これらの発明の主題は、本明細書中に開示する種々の要素、特徴、機能、及び／または特性のすべての新規かつ非自明な組合せ及びサブコンビネーション（副次的組合せ）を含む。同様に、請求項が「１つの」または「第１の」要素、あるいはその等価物を記載している場合、こうした請求項は、１つ以上のこうした要素の組み入れを含み、２つ以上のこうした要素を要求も排除もしないものと理解するべきである。
【０１３５】
以下の特許請求の範囲は、開示する発明のうちの１つに指向した特定の組合せ及びサブコンビネーションを特に指摘しており、新規かつ非自明であるものと確信する。特徴、機能、要素、及び／または特性の他の組合せ及びサブコンビネーションの形で具体化される発明は、本願の特許請求の範囲の補正、あるいは本願または関連出願における新たな請求項の提示により特許請求することがある。このような補正した、または新たな請求項も、異なる発明に指向していても同じ発明に指向していても、元の特許請求の範囲と異なる範囲でも、元の特許請求の範囲よりも広い範囲でも、狭い範囲でも、等しい範囲でも、本開示における発明の主題の範囲内に含まれるものと考えられる。
【図１】
2019530869.tif 000003
【図２】
2019530869.tif 000004
【図３】
2019530869.tif 000005
【図４】
2019530869.tif 000006
【図５】
2019530869.tif 000007
【図６】
2019530869.tif 000008
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
チャックと、
プローブヘッド・アセンブリと、
測定装置とを具えたプローブシステムであって、
前記チャックは、被試験デバイス（ＤＵＴ）を含む基板を支持するように構成された支持面を含み、
前記プローブヘッド・アセンブリは、
(i) プラテンと、
(ii) 動作可能なようにプラテンに取り付けられた第１マニピュレータと、
(iii) 動作可能なように前記第１マニピュレータに取り付けられ、前記ＤＵＴに接触するように構成された第１プローブを含む第１の操作されるアセンブリと、
(iv) 動作可能なように前記プラテンに取り付けられた第２マニピュレータと、
(v) 動作可能なように前記第２マニピュレータに取り付けられ、前記ＤＵＴに接触するように構成された第２の操作されるアセンブリとを含み、
前記測定装置は、前記第１の操作されるアセンブリと前記第２の操作されるアセンブリとの間の距離を直接測定するように構成されているプローブシステム。
【請求項２】
前記第１の操作されるアセンブリは、前記第１マニピュレータの作動により、動作可能なように前記プラテンに対して平行移動するように構成され、前記第２の操作されるアセンブリは、前記第２マニピュレータの作動により、動作可能なように前記プラテンに対して平行移動するように構成され、さらに、前記第１マニピュレータ及び前記第２マニピュレータは、独立して作動して、前記第１の操作されるアセンブリと前記第２の操作されるアセンブリとを動作可能なように互いに対して平行移動させるように構成されている、請求項１に記載のプローブシステム。
【請求項３】
前記測定装置が、
(i) マイクロメーター、
(ii) 容量性プローブ、
(iii) 干渉計
のうちの少なくとも１つを含む、請求項１に記載のプローブシステム。
【請求項４】
前記測定装置が電子測定装置である、請求項１に記載のプローブシステム。
【請求項５】
前記測定装置が、前記第１の操作されるアセンブリと前記第２の操作されるアセンブリとの間の距離を示すように構成されたディスプレイを含む、請求項１に記載のプローブシステム。
【請求項６】
前記第１の操作されるアセンブリが測定装置マウントを含み、前記測定装置が動作可能なように該測定装置マウントに取り付けられ、前記第２の操作されるアセンブリが当接面を含み、さらに、前記測定装置が、動作可能なように該当接面に接触して、前記第１の操作されるアセンブリと前記第２の操作されるアセンブリとの間の距離を測定するように構成されている、請求項１に記載のプローブシステム。
【請求項７】
前記測定装置が、前記第１の操作されるアセンブリと前記第２の操作されるアセンブリとの間に延びて、動作可能なように前記第１の操作されるアセンブリ及び前記第２の操作されるアセンブリに共に接触する、請求項１に記載のプローブシステム。
【請求項８】
前記プローブシステムが、当該プローブシステムの少なくとも一部分の動作を制御するようにプログラムされたコントローラをさらに含み、前記測定装置は、前記第１の操作されるアセンブリと前記第２の操作されるアセンブリとの間の距離を示す距離信号を発生して、該距離信号を前記コントローラに供給するようにさらに構成されている、請求項１に記載のプローブシステム。
【請求項９】
プローブシステムを利用する方法であって、
第１マニピュレータにより、第１の操作されるアセンブリの第１プローブを動作可能なように電気的構造の第１接触位置に位置合わせするステップと、
第２マニピュレータにより、第２の操作されるアセンブリの第２プローブを動作可能なように電気的構造の第２接触位置に位置合わせするステップと、
測定装置により、前記第１の操作されるアセンブリと前記第２の操作されるアセンブリとの間の距離を直接測定するステップと、
前記第１プローブを前記第１接触位置に接触させるステップと、
前記第２プローブを前記第２接触位置に接触させるステップと、
コントローラにより、試験信号を前記電気的構造に供給するステップと、
前記コントローラにより、結果的に生じる信号を前記電気的構造から受信するステップと、
前記コントローラにより、前記プローブシステム及び前記電気的構造の少なくとも一方を、前記第１の操作されるアセンブリと前記第２の操作されるアセンブリとの間の距離に少なくとも部分的に基づいて特性化するステップと
を含む方法。
【請求項１０】
前記直接測定するステップが、前記第１の操作されるアセンブリの第１所定部分と、前記第２の操作されるアセンブリの第２所定部分との間の距離を測定することを含む、請求項９に記載の方法。
【請求項１１】
前記直接測定するステップが、前記第１接触位置及び前記第２接触位置を含む前記電気的構造の表面に平行な測定面内で直接測定することを含む、請求項９に記載の方法。
【請求項１２】
前記特性化するステップが、前記プローブシステムを較正することを含み、該較正することが、前記第１の操作されるアセンブリと前記第２の操作されるアセンブリとの間の距離を、前記プローブシステムを較正するために利用する数学的アルゴリズムへの入力として利用することを含む、請求項９に記載の方法。
【請求項１３】
前記較正することが、前記第１プローブを前記第１接触位置に接触させる前に、かつ前記第２プローブを前記第２接触位置に接触させる前に、前記第１の操作されるアセンブリと前記第２の操作されるアセンブリとの間の距離を調整して、前記第１プローブを前記第１接触位置に接触させた後に、かつ前記第２プローブを前記第２接触位置に接触させた後に、前記第１の操作されるアセンブリと前記第２の操作されるアセンブリとの間の距離を所定の閾値距離範囲内に維持することを含み、前記調整することが、前記第１マニピュレータ及び前記第２マニピュレータの少なくとも一方により調整することを含む、請求項１２に記載の方法。
【請求項１４】
前記方法が、ディスプレイにより距離オフセットを表示するステップをさらに含み、前記調整することが、前記距離オフセットに少なくとも部分的に基づいて調整することを含む、請求項１３に記載の方法。
【請求項１５】
プローブヘッド・アセンブリと、
チャックと、
ベクトル・ネットワークアナライザとを具えたプローブシステムであって、
前記プローブヘッド・アセンブリは、
(i) プラテンと、
(ii) マニピュレータと、
(iii) ベクトル・ネットワークアナライザ（ＶＮＡ）エクステンダと、
(iv) プローブとを含み、
前記マニピュレータは、動作可能なように前記プラテンに取り付けられたマニピュレータ・マウント、及びプローブ・マウントを含み、前記マニピュレータは、前記プローブ・マウントを選択的に、かつ動作可能なように前記マニピュレータ・マウントに対して平行移動させるように構成され、
前記ＶＮＡエクステンダは動作可能なように前記プローブ・マウントに取り付けられ、
前記プローブは、動作可能なように前記ＶＮＡエクステンダを介して前記プローブ・マウントに取り付けられ、前記マニピュレータは、前記ＶＮＡエクステンダ及び前記プローブを共に、前記プローブマウントの動きにより、選択的に、かつ動作可能なように前記マニピュレータ・マウントに対して平行移動させるように構成され、
前記チャックは、被試験デバイス（ＤＵＴ）を含む基板を支持するように構成された支持面を含み、前記プローブは、前記支持面に対面して、当該プローブと前記ＤＵＴとの選択的な電気接触を可能にし、
前記ベクトル・ネットワークアナライザは、
(i) 試験信号を、前記ＶＮＡエクステンダを通して前記プローブに供給すること、
(ii) 結果的に生じる信号を、前記ＶＮＡエクステンダを通して前記プローブから受信すること
のうちの少なくとも一方を行うように構成されている、プローブシステム。
【請求項１６】
前記プローブヘッド・アセンブリは、前記プローブ・マウントに取り付けられたＶＮＡエクステンダ装着プレートをさらに含み、さらに、前記ＶＮＡエクステンダは、動作可能なように前記ＶＮＡエクステンダ装着プレートを介して前記プローブ・マウントに取り付けられている、請求項１５に記載のプローブシステム。
【請求項１７】
前記ＶＮＡエクステンダが、動作可能なように、前記ＶＮＡエクステンダ装着プレートにおける前記支持面に対面する側の表面に取り付けられている、請求項１６に記載のプローブシステム。
【請求項１８】
(i) 前記ＶＮＡエクステンダ装着プレートが前記プローブ・マウントに直接取り付けられ、
(ii) 前記ＶＮＡエクステンダが、前記ＶＮＡエクステンダ装着プレートに直接取り付けられ、
(iii) 前記プローブが、前記ＶＮＡエクステンダに直接取り付けられている、
請求項１５に記載のプローブシステム。
【請求項１９】
前記プローブシステムが導波路をさらに含み、該導波路は、前記ＶＮＡエクステンダと前記プローブとの間に延びて、前記ＶＮＡエクステンダと前記プローブとを電気的かつ機械的に相互接続する、請求項１５に記載のプローブシステム。
【請求項２０】
前記プローブシステムがデータケーブルをさらに含み、該データケーブルは、前記ベクトル・ネットワークアナライザと前記ＶＮＡエクステンダとを電気的に相互接続し、前記データケーブルは、前記ベクトル・ネットワークアナライザと前記ＶＮＡエクステンダとの間に第１の信号伝送長を規定し、前記プローブシステムは、前記ＶＮＡエクステンダと前記プローブのプローブ先端との間に第２の信号伝送長を規定し、さらに、前記第２の信号伝送長は前記第１の信号伝送長の１０％未満である、請求項１５に記載のプローブシステム。
【手続補正２】
【補正対象書類名】明細書
【補正対象項目名】０１０１
【補正方法】変更
【補正の内容】
【０１０１】
Ｂ１４．段落Ｂ１〜Ｂ１３のいずれかのプローブシステムであって、上記第１マニピュレータが：
(i) 手動で作動する第１マニピュレータ；及び
(ii) 電気的に作動する第１マニピュレータ；
のうちの少なくとも一方を含むプローブシステム。
【手続補正３】
【補正対象書類名】明細書
【補正対象項目名】０１２３
【補正方法】削除
【補正の内容】
【手続補正４】
【補正対象書類名】明細書
【補正対象項目名】０１２４
【補正方法】変更
【補正の内容】
【０１２４】
Ｃ１５．段落Ｃ１１〜Ｃ１３の方法であって、上記方法が、距離オフセットを表示するステップをさらに含み、調整することが、少なくとも部分的にこの距離オフセットに基づいて調整することを含み、さらに、この距離オフセットが：
(i) 上記第１の操作されるアセンブリと上記第２の操作されるアセンブリとの間の距離；及び、
(ii) 上記第１の操作されるアセンブリと上記第２の操作されるアセンブリとの間の距離と、上記第１の操作されるアセンブリと上記第２の操作されるアセンブリとの間の所望の距離との差；
のうちの少なくとも一方を含む方法。
【国際調査報告】
2019530869.tif 000009
2019530869.tif 000010
2019530869.tif 000011